(57)【要約】  本願は、信号送信方法及び通信機器を提供する。前記方法は、端末装置がネットワーク装置から情報を受信することであって、前記情報は前記端末装置にフォールバック送信モードで信号を送信するよう指示するために使用されることと、前記端末装置が前記信号の送信が失敗したと決定し、次に前記フォールバック送信モードで前記ネットワーク装置へ前記信号を送信することと、を含む。
2022501938.tif 000002
【特許請求の範囲】
【請求項１】
信号送信方法であって、
端末装置により、ネットワーク装置により送信された第１指示情報を受信するステップであって、前記第１指示情報は、前記端末装置にターゲット送信モードで信号を送信するよう指示するために使用され、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ、ステップと、
前記端末装置により、前記ターゲット送信モードで前記ネットワーク装置へ信号を送信するステップと、
を含む方法。
【請求項２】
端末装置により、ネットワーク装置により送信された第１指示情報を受信する前記ステップは、
前記端末装置により、前記ネットワーク装置により送信されたページングメッセージを受信するステップであって、前記ページングメッセージは前記第１指示情報を運ぶ、ステップを含む、請求項１に記載の方法。
【請求項３】
端末装置により、ネットワーク装置により送信された第１指示情報を受信する前記ステップは、
前記端末装置により、無線ネットワーク一時識別子ＲＮＴＩを用いてスクランブリングされ前記ネットワーク装置により送信されたダウンリンク制御情報ＤＣＩを受信するステップであって、前記ＤＣＩは前記第１指示情報を運ぶ、ステップ、又は、
前記端末装置により、ＲＮＴＩを用いてスクランブリングされ前記ネットワーク装置により送信されたＤＣＩを受信し、及び前記ＤＣＩに基づき物理ダウンリンク共有チャネルＰＤＳＣＨを受信するステップであって、前記ＰＤＳＣＨは前記第１指示情報を運ぶ、ステップ、
を含む、請求項１に記載の方法。
【請求項４】
前記ＤＣＩは、ページング無線ネットワーク一時識別子Ｐ−ＲＮＴＩを用いてスクランブリングされたＤＣＩ  ｆｏｒｍａｔ６−２であり、前記ＤＣＩ  ｆｏｒｍａｔ６−２のフラグは０である、請求項３に記載の方法。
【請求項５】
端末装置により、ネットワーク装置により送信された第１指示情報を受信する前記ステップは、
前記端末装置により、無線ネットワーク一時識別子ＲＮＴＩを用いてスクランブリングされ前記ネットワーク装置により送信されたダウンリンク制御情報ＤＣＩを受信するステップであって、前記ＤＣＩは第１フィールドを含む、ステップと、
前記端末装置により、前記第１フィールドに基づき、前記第１指示情報を決定するステップと、
を含む、請求項１に記載の方法。
【請求項６】
前記端末装置は、カバレッジ拡張モードＢ  ＣＥ  ＭｏｄｅＢの端末、カバレッジ拡張レベル２  ＣＥ  ｌｅｖｅｌ２にある端末、又はカバレッジ拡張レベルＣＥ  ｌｅｖｅｌ３にある端末であり、前記ＤＣＩはＤＣＩ  ｆｏｒｍａｔ６−０Ｂであり、前記第１フィールドは前記ＤＣＩ内の変調及び符号化方式ＭＣＳフィールドであり、前記ＭＣＳフィールドの全部のビット値は１であり、前記第１指示情報により示される前記ターゲット送信モードは、許可無し再送モードであり、或いは、前記ＭＣＳフィールドの必ずしも全部のビット値が１ではなく、前記ターゲット送信モードは前記第１ランダムアクセスモード及び前記ＥＤＴ再送モードのうちのいずれかであり、又は、
前記端末装置は、カバレッジ拡張モードＡ  ＣＥ  ＭｏｄｅＡの端末、カバレッジ拡張レベル０  ＣＥ  ｌｅｖｅｌ０にある端末、又はカバレッジ拡張レベル１  ＣＥ  ｌｅｖｅｌ１にある端末であり、前記ＤＣＩはＤＣＩ  ｆｒｏｍａｔ６−０Ａであり、前記第１フィールドは前記ＤＣＩ内のリソースブロック割り当てＲＡフィールドであり、前記ＲＡフィールドの全部のビット値は１であり、前記第１指示情報により示される前記ターゲット送信モードは前記許可無し再送モードであり、或いは、前記ＲＡフィールドの必ずしも全部のビット値が１ではなく、前記ターゲット送信モードは前記第１ランダムアクセスモード及び前記ＥＤＴ再送モードのうちのいずれかであり、又は、
前記端末装置は、カバレッジ拡張モードＡ  ＣＥ  ＭｏｄｅＡの端末、カバレッジ拡張レベル０  ＣＥ  ｌｅｖｅｌ０にある端末、又はカバレッジ拡張レベル１  ＣＥ  ｌｅｖｅｌ１にある端末であり、前記ＤＣＩはＤＣＩ  ｆｏｒｍａｔ６−１Ａであり、前記第１フィールドは前記ＤＣＩ内のリソースブロック割り当てＲＡフィールドであり、前記ＲＡフィールドの全部のビット値は１であり、前記第１指示情報により示される前記ターゲット送信モードは前記許可無し再送モードであり、或いは、前記ＲＡフィールドの必ずしも全部のビット値が１ではなく、前記ターゲット送信モードは前記第１ランダムアクセスモード及び前記ＥＤＴ再送モードのうちのいずれかであり、又は、
前記端末装置は、カバレッジ拡張モードＢ  ＣＥ  ＭｏｄｅＢの端末、カバレッジ拡張レベル２  ＣＥ  ｌｅｖｅｌ２にある端末、又はカバレッジ拡張レベル３  ＣＥ  ｌｅｖｅｌ３にある端末であり、前記ＤＣＩはＤＣＩ  ｆｏｒｍａｔ６−１Ｂであり、前記第１フィールドは前記ＤＣＩ内のリソースブロック割り当てＲＡフィールドであり、前記ＲＡフィールドの全部のビット値は１であり、前記第１指示情報により示される前記ターゲット送信モードは前記許可無し再送モードであり、或いは、前記ＲＡフィールドの必ずしも全部のビット値が１ではなく、前記ターゲット送信モードは前記第１ランダムアクセスモード及び前記ＥＤＴ再送モードのうちのいずれかであり、又は、
前記第１フィールドは、前記ＤＣＩ内の新規データ指示子ＮＤＩであり、前記ＮＤＩフィールドのビット値は０であり、前記ターゲット送信モードは前記第１ランダムアクセスモード又は前記ＥＤＴモードであり、或いは、前記ＮＤＩフィールドのビット値は１であり、前記ターゲット送信モードは前記許可無し再送モードである、請求項５に記載の方法。
【請求項７】
端末装置により、ネットワーク装置により送信された第１指示情報を受信する前記ステップは、
前記端末装置により、無線ネットワーク一時識別子ＲＮＴＩを用いてスクランブリングされ前記ネットワーク装置により送信されたダウンリンク制御情報ＤＣＩを受信するステップであって、前記ＤＣＩは第１フィールド及び第２フィールドを含む、ステップと、
前記端末装置により、前記第１フィールド及び前記第２フィールドに基づき、前記第１指示情報を決定するステップと、
を含む、請求項１に記載の方法。
【請求項８】
前記ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む、請求項３〜７のいずれか一項に記載の方法。
【請求項９】
前記第１指示情報は、以下の情報：電力情報、タイミングアドバンスＴＡ情報、又は反復数情報、のうちの少なくとも１つを更に含み、前記方法は、
前記端末装置により、前記第１指示情報の中の前記電力情報に基づき電力を調整し、前記ＴＡ情報に基づきアップリンク送信時間を調整し、又は前記反復数情報に基づき反復数を決定するステップ、
を更に含む請求項１〜８のいずれか一項に記載の方法。
【請求項１０】
前記ターゲット送信モードは、前記第１ランダムアクセスモード又は前記ＥＤＴモードであり、前記端末装置が前記第１指示情報に基づき前記ターゲット送信モードで信号を送信する前に、前記方法は、
前記端末装置により、前記ネットワーク装置により送信された第１情報を受信するステップであって、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、ステップ、
を更に含む請求項１〜９のいずれか一項に記載の方法。
【請求項１１】
前記ターゲット送信モードは、前記許可無し再送モードであり、前記端末装置により、前記ターゲット送信モードで前記ネットワーク装置へ信号を送信する前記ステップは、
前記端末装置により、予め構成されたリソースのうちの全部又は一部を使用して、前記ネットワーク装置へ前記信号を送信するステップであって、前記予め構成されたリソースは、前記端末装置のために前記ネットワーク装置により予め構成されたリソースである、ステップを含む、請求項１〜１０のいずれか一項に記載の方法。
【請求項１２】
信号送信方法であって、
ネットワーク装置により、ターゲット送信モードを決定するステップであって、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ、ステップと、
前記ネットワーク装置により、端末装置へ第１指示情報を送信するステップであって、前記第１指示情報は、前記端末装置に前記ターゲット送信モードで信号を送信するよう指示するために使用される、ステップと、
前記ネットワーク装置により、前記端末装置により前記ターゲット送信モードで送信された信号を受信するステップと、
を含む方法。
【請求項１３】
前記ネットワーク装置により、端末装置へ第１指示情報を送信する前記ステップは、
前記ネットワーク装置により、前記端末装置へページングメッセージを送信するステップであって、前記ページングメッセージは前記第１指示情報を運ぶ、ステップを含む、請求項１２に記載の方法。
【請求項１４】
前記ネットワーク装置により、端末装置へ第１指示情報を送信する前記ステップは、
前記ネットワーク装置により、前記端末装置へ、無線ネットワーク一時識別子ＲＮＴＩを用いてスクランブリングされたダウンリンク制御情報ＤＣＩを送信するステップであって、前記ＤＣＩは前記第１指示情報を運ぶ、ステップ、又は、
前記ネットワーク装置により、前記端末装置へ、無線ネットワーク一時識別子ＲＮＴＩを用いてスクランブリングされたダウンリンク制御情報ＤＣＩを送信し、前記ＤＣＩに基づき物理ダウンリンク共有チャネルＰＤＳＣＨを送信するステップであって、前記ＰＤＳＣＨは前記第１指示情報を運ぶ、ステップ、
を含む、請求項１２に記載の方法。
【請求項１５】
前記ＤＣＩは、ページング無線ネットワーク一時識別子Ｐ−ＲＮＴＩを用いてスクランブリングされたＤＣＩであり、前記ＤＣＩ  ｆｏｒｍａｔ６−２のフラグは０である、請求項１３又は１４に記載の方法。
【請求項１６】
前記ネットワーク装置により、端末装置へ、第１指示情報を送信する前記ステップは、
前記ネットワーク装置により、前記端末装置へ、無線ネットワーク一時識別子ＲＮＴＩを用いてスクランブリングされたダウンリンク制御情報ＤＣＩを送信するステップであって、前記ＤＣＩは第１フィールドを含み、前記第１フィールドは前記第１指示情報を決定するために使用される、ステップを含む、請求項１２に記載の方法。
【請求項１７】
前記ネットワーク装置により、端末装置へ、第１指示情報を送信する前記ステップは、
前記ネットワーク装置により、前記端末装置へ、無線ネットワーク一時識別子ＲＮＴＩを用いてスクランブリングされたダウンリンク制御情報ＤＣＩを送信するステップであって、前記ＤＣＩは第１フィールド及び第２フィールドを含み、前記第１フィールド及び前記第２フィールドは前記第１指示情報を決定するために使用される、ステップを含む、請求項１２に記載の方法。
【請求項１８】
前記ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む、請求項１４〜１７のいずれか一項に記載の方法。
【請求項１９】
前記第１指示情報は、以下の情報：電力情報、タイミングアドバンスＴＡ情報、又は反復数情報、のうちの少なくとも１つを更に含む、請求項１２〜１８のいずれか一項に記載の方法。
【請求項２０】
前記ターゲット送信モードは、前記第１ランダムアクセスモード又は前記ＥＤＴモードであり、前記ネットワーク装置により、端末装置へ、第１指示情報を送信するステップの後に、前記方法は、
前記ネットワーク装置により、前記端末装置へ、第１情報を送信するステップであって、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、ステップ、
を更に含む請求項１２〜２９のいずれか一項に記載の方法。
【請求項２１】
前記ターゲット送信モードは、前記許可無し再送モードであり、前記ネットワーク装置により、前記端末装置により、前記ターゲット送信モードで送信された信号を受信する前記ステップは、
前記ネットワーク装置により、前記端末装置により前記許可無し再送モードで予め構成されたリソースのうちの全部又は一部を使用して前記ネットワーク装置へ送信された前記信号を受信するステップであって、前記予め構成されたリソースは、前記端末装置のために前記ネットワーク装置により予め構成されたリソースである、ステップを含む、請求項１２〜２０のいずれか一項に記載の方法。
【請求項２２】
通信機器であって、
ネットワーク装置により送信された第１指示情報を受信するよう構成される受信モジュールであって、前記第１指示情報は、端末装置にターゲット送信モードで信号を送信するよう指示するために使用され、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ、受信モジュールと、
前記受信モジュールにより受信された前記第１指示情報により示された前記ターゲット送信モードで、前記ネットワーク装置へ信号を送信するよう構成される送信モジュールと、
を含む機器。
【請求項２３】
前記受信モジュールは、前記ネットワーク装置により送信されたページングメッセージを受信するよう構成され、前記ページングメッセージは前記第１指示情報を運ぶ、請求項２２に記載の機器。
【請求項２４】
前記受信モジュールは、
無線ネットワーク一時識別子ＲＮＴＩを用いてスクランブリングされ前記ネットワーク装置により送信されたダウンリンク制御情報ＤＣＩを受信し、前記ＤＣＩは前記第１指示情報を運ぶ、又は、
ＲＮＴＩを用いてスクランブリングされ前記ネットワーク装置により送信されたＤＣＩを受信し、及び前記ＤＣＩに基づき物理ダウンリンク共有チャネルＰＤＳＣＨを受信し、前記ＰＤＳＣＨは前記第１指示情報を運ぶ、
よう構成される、請求項２２に記載の機器。
【請求項２５】
前記ＤＣＩは、ページング無線ネットワーク一時識別子Ｐ−ＲＮＴＩを用いてスクランブリングされたＤＣＩ  ｆｏｒｍａｔ６−２であり、前記ＤＣＩ  ｆｏｒｍａｔ６−２のフラグは０である、請求項２４に記載の機器。
【請求項２６】
前記機器は処理モジュールを更に含み、
前記受信モジュールは、
前記端末装置により、無線ネットワーク一時識別子ＲＮＴＩを用いてスクランブリングされ前記ネットワーク装置により送信されたダウンリンク制御情報ＤＣＩを受信するよう構成され、前記ＤＣＩは第１フィールドを含み、
前記処理モジュールは、前記第１フィールドに基づき、前記第１指示情報を決定するよう更に構成される、請求項２２に記載の機器。
【請求項２７】
前記端末装置は、カバレッジ拡張モードＢ  ＣＥ  ＭｏｄｅＢの端末であり、前記ＤＣＩはＤＣＩ  ｆｏｒｍａｔ６−０Ｂであり、前記第１フィールドは前記ＤＣＩ内の変調及び符号化方式ＭＣＳフィールドであり、前記ＭＣＳフィールドの全部のビット値は１であり、前記第１指示情報により示される前記ターゲット送信モードは、許可無し再送モードであり、或いは、前記ＭＣＳフィールドの必ずしも全部のビット値が１ではなく、前記ターゲット送信モードは前記第１ランダムアクセスモード及び前記ＥＤＴ再送モードのうちのいずれかであり、又は、
前記端末装置は、カバレッジ拡張モードＡ  ＣＥ  ＭｏｄｅＡの端末であり、前記ＤＣＩはＤＣＩ  ｆｒｏｍａｔ６−０Ａであり、前記第１フィールドは前記ＤＣＩ内のリソースブロック割り当てＲＡフィールドであり、前記ＲＡフィールドの全部のビット値は１であり、前記第１指示情報により示される前記ターゲット送信モードは前記許可無し再送モードであり、或いは、前記ＲＡフィールドの必ずしも全部のビット値が１ではなく、前記ターゲット送信モードは前記第１ランダムアクセスモード及び前記ＥＤＴ再送モードのうちのいずれかであり、又は、
前記端末装置は、カバレッジ拡張モードＡ  ＣＥ  ＭｏｄｅＡの端末であり、前記ＤＣＩはＤＣＩ  ｆｒｏｍａｔ６−１Ａであり、前記第１フィールドは前記ＤＣＩ内のリソースブロック割り当てＲＡフィールドであり、前記ＲＡフィールドの全部のビット値は１であり、前記第１指示情報により示される前記ターゲット送信モードは前記許可無し再送モードであり、或いは、前記ＲＡフィールドの必ずしも全部のビット値が１ではなく、前記ターゲット送信モードは前記第１ランダムアクセスモード及び前記ＥＤＴ再送モードのうちのいずれかであり、又は、
前記端末装置は、カバレッジ拡張モードＢ  ＣＥモードＢの端末であり、前記ＤＣＩはＤＣＩ  ｆｒｏｍａｔ６−１Ｂであり、前記第１フィールドは前記ＤＣＩ内のリソースブロック割り当てＲＡフィールドであり、前記ＲＡフィールドの全部のビット値は１であり、前記第１指示情報により示される前記ターゲット送信モードは前記許可無し再送モードであり、或いは、前記ＲＡフィールドの必ずしも全部のビット値が１ではなく、前記ターゲット送信モードは前記第１ランダムアクセスモード及び前記ＥＤＴ再送モードのうちのいずれかであり、又は、
前記第１フィールドは、前記ＤＣＩ内の新規データ指示子ＮＤＩであり、前記ＮＤＩフィールドのビット値は０であり、前記ターゲット送信モードは前記第１ランダムアクセスモード又は前記ＥＤＴモードであり、或いは、前記ＮＤＩフィールドのビット値は１であり、前記ターゲット送信モードは前記許可無し再送モードである、請求項２６に記載の機器。
【請求項２８】
処理モジュールを更に含み、
前記受信モジュールは、無線ネットワーク一時識別子ＲＮＴＩを用いてスクランブリングされ前記ネットワーク装置により送信されたダウンリンク制御情報ＤＣＩを受信するよう構成され、前記ＤＣＩは第１フィールド及び第２フィールドを含み、
前記処理モジュールは、前記第１フィールド及び前記第２フィールドに基づき、前記第１指示情報を決定するよう構成される、請求項２２に記載の機器。
【請求項２９】
前記ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む、請求項２４〜２８のいずれか一項に記載の機器。
【請求項３０】
前記第１指示情報は、以下の情報：電力情報、タイミングアドバンスＴＡ情報、又は反復数情報、のうちの少なくとも１つを更に含み、前記機器は、
前記第１指示情報の中の前記電力情報に基づき電力を調整し、前記ＴＡ情報に基づきアップリンク送信時間を調整し、又は前記反復数情報に基づき反復数を決定するよう構成される処理モジュール、
を更に含む請求項２２〜２９のいずれか一項に記載の機器。
【請求項３１】
前記ターゲット送信モードは、前記第１ランダムアクセスモード又は前記ＥＤＴモードであり、前記第１指示情報に基づき前記ターゲット送信モードで前記信号が送信される前に、前記受信モジュールは、
前記ネットワーク装置により送信された第１情報を受信するよう更に構成され、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、請求項２２〜３０のいずれか一項に記載の機器。
【請求項３２】
前記ターゲット送信モードが前記許可無し再送モードであるとき、前記送信モジュールは、予め構成されたリソースのうちの全部又は一部を使用して、前記ネットワーク装置へ前記信号を送信するよう構成され、前記予め構成されたリソースは、前記端末装置のために前記ネットワーク装置により予め構成されたリソースである、請求項２２〜３１のいずれか一項に記載の機器。
【請求項３３】
通信機器であって、
ターゲット送信モードを決定するよう構成される処理モジュールであって、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ、処理モジュールと、
端末装置へ第１指示情報を送信するよう構成される送信モジュールであって、前記第１指示情報は、前記端末装置に前記ターゲット送信モードで信号を送信するよう指示するために使用される、送信モジュールと、
前記端末装置により前記ターゲット送信モードで送信された信号を受信するよう構成される受信モジュールと、
を含む機器。
【請求項３４】
前記送信モジュールは、前記端末装置へページングメッセージを送信するよう構成され、前記ページングメッセージは前記第１指示情報を運ぶ、請求項３３に記載の機器。
【請求項３５】
前記送信モジュールは、
前記端末装置へ、無線ネットワーク一時識別子ＲＮＴＩを用いてスクランブリングされたダウンリンク制御情報ＤＣＩを送信し、前記ＤＣＩは前記第１指示情報を運ぶ、又は、
前記端末装置へ、無線ネットワーク一時識別子ＲＮＴＩを用いてスクランブリングされたダウンリンク制御情報ＤＣＩを送信し、前記ＤＣＩに基づき物理ダウンリンク共有チャネルＰＤＳＣＨを送信し、前記ＰＤＳＣＨは前記第１指示情報を運ぶ、
よう構成される、請求項３３に記載の機器。
【請求項３６】
前記ＤＣＩは、ページング無線ネットワーク一時識別子Ｐ−ＲＮＴＩを用いてスクランブリングされたＤＣＩ  ｆｏｒｍａｔ６−２であり、前記ＤＣＩ  ｆｏｒｍａｔ６−２のフラグは０である、請求項３４又は３５に記載の機器。
【請求項３７】
前記送信モジュールは、前記端末装置へ、無線ネットワーク一時識別子ＲＮＴＩを用いてスクランブリングされたダウンリンク制御情報ＤＣＩを送信するよう構成され、前記ＤＣＩは第１フィールドを含み、前記第１フィールドは前記第１指示情報を決定するために使用される、請求項３３に記載の機器。
【請求項３８】
前記送信モジュールは、前記端末装置へ、無線ネットワーク一時識別子ＲＮＴＩを用いてスクランブリングされたダウンリンク制御情報ＤＣＩを送信するよう構成され、前記ＤＣＩは第１フィールド及び第２フィールドを含み、前記第１フィールド及び前記第２フィールドは前記第１指示情報を決定するために使用される、請求項３３に記載の機器。
【請求項３９】
前記ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む、請求項３５〜３８のいずれか一項に記載の機器。
【請求項４０】
前記第１指示情報は、以下の情報：電力情報、タイミングアドバンスＴＡ情報、又は反復数情報、のうちの少なくとも１つを更に含む、請求項３３〜３９のいずれか一項に記載の機器。
【請求項４１】
前記ターゲット送信モードは、前記第１ランダムアクセスモード又は前記ＥＤＴモードであり、前記端末装置へ、前記第１指示情報を送信した後に、前記送信モジュールは、
前記端末装置へ、第１情報を送信するよう更に構成され、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、請求項３３〜４０のいずれか一項に記載の機器。
【請求項４２】
前記ターゲット送信モードが前記許可無し再送モードであるとき、前記受信モジュールは、予め構成されたリソースのうちの全部又は一部を使用して、前記許可無し再送モードで、前記ネットワーク装置へ前記端末装置により送信された前記信号を受信するよう構成され、前記予め構成されたリソースは、前記端末装置のために前記ネットワーク装置により予め構成されたリソースである、請求項３３〜４２のいずれか一項に記載の機器。
【請求項４３】
端末装置であって、メモリとプロセッサとを含み、前記メモリは、コンピュータプログラムを格納するよう構成され、前記コンピュータプログラムは前記プロセッサ上で実行し、前記端末装置は、請求項１〜１１のいずれか一項に記載の方法で前記端末装置の動作を実施する、端末装置。
【請求項４４】
ネットワーク装置であって、メモリとプロセッサとを含み、前記メモリは、コンピュータプログラムを格納するよう構成され、前記コンピュータプログラムは前記プロセッサ上で実行し、前記ネットワーク装置は、請求項１２〜２１のいずれか一項に記載の方法で前記ネットワーク装置の動作を実施する、ネットワーク装置。
【請求項４５】
記憶媒体であって、前記記憶媒体はコンピュータプログラムを含み、前記コンピュータプログラムは、請求項１〜１１のいずれか一項に記載の方法で前記端末装置の動作を実施するために使用され、又は、前記コンピュータプログラムは、請求項１２〜２１のいずれか一項に記載の方法で前記ネットワーク装置の動作を実施するために使用される、記憶媒体。
【請求項４６】
チップであって、メモリとプロセッサとを含み、前記メモリは、コンピュータプログラムを格納するよう構成され、前記コンピュータプログラムは前記プロセッサ上で実行し、前記端末装置は、請求項１〜１１のいずれか一項に記載の方法で前記端末装置の動作を実施し、又は、前記ネットワーク装置は、請求項１２〜２１のいずれか一項に記載の方法で前記ネットワーク装置の動作を実施する、チップ。
【発明の詳細な説明】
【技術分野】
【０００１】
［関連出願］
本願は、参照により全体がここに組み込まれる、中国特許出願番号PCT：CN２０１８/１０８４８４号、中国特許庁に２０１８年９月２８日に出願、名称「SIGNAL  TRANSMISSION  METHOD  AND  COMMUNICATIONS  APPARATUS」の優先権を主張する。
【０００２】
［技術分野］
本願の実施形態は、移動通信技術の分野に関し、特に、信号送信方法及び通信機器に関する。
【背景技術】
【０００３】
現在、ロングタームエボリューションアドバンスト（long  term  evolution  advance,  LTE−A）システム、及び拡張機械型通信（enhanced  machine  type  communication,  eMTC）システム及び追加機械型通信（additional  machine  type  communication,  AMTC）システムのようなその派生システムは、主流の通信システムになっている。ＬＴＥ−Ａ及びＬＴＥ−Ａの派生システムに基づく通信処理では、端末装置は、許可無し（grant−free,  GF）モードでネットワーク装置へアップリンク信号を送信してよい。
【０００４】
通常、端末装置の状態は、接続（connected）状態、非アクティブ（inactive）状態、アイドル（idle）状態、等を含む。接続状態では、無線リソース制御（radio  resource  control,  RRC）接続が、端末装置とネットワーク装置との間に確立される。アイドル状態では、端末装置とネットワーク装置との間にＲＲＣ接続は存在しない。非アクティブ状態では、端末装置は、構成情報を格納し、該構成情報に基づき素早く接続状態に入ってよい。接続状態にある端末装置は、動的許可又は許可無しモードで、ネットワーク装置へアップリンク信号を送信してよい。許可無し処理では、時間−周波数リソースは、プロトコル等を用いて予め定められる。アップリンク信号を送信するとき、端末装置は、ネットワーク装置に動的ダウンリンク制御情報（downlink  control  information,  DCI）を送信することを要求しないが、所定の時間−周波数リソースを用いてネットワーク装置へアップリンク信号を送信する。接続状態にある端末装置について、許可無しモードでアップリンク信号を送信する成功確率が比較的低いとき、ネットワーク装置は命令を送信する。その結果、端末装置は動的許可モードでアップリンク信号を送信する。動的許可モードでアップリンク信号を送信するとき、端末装置は、ユーザ固有探索空間で、ネットワーク装置により送信された物理ダウンリンク制御チャネル（physical  downlink  control  channel,  PDCCH）を検出し、関連パラメータに基づき、ＰＤＣＣＨ上で運ばれたＤＣＩにより示されたリソースで、ネットワーク装置へアップリンク信号を送信する。
【０００５】
しかしながら、非接続状態にある端末装置、例えば、アイドル状態にある端末装置、又は非アクティブ状態にある端末装置について、当業界には、アップリンク信号送信の成功率を保証するための適正な方法が存在しない。
【発明の概要】
【０００６】
本願は、非接続状態又は許可無しモードにある端末装置によりアップリンク信号を送信する成功率を向上するための、信号送信方法及び通信機器を提供する。
【０００７】
第１の態様によると、本願の一実施形態は、信号送信方法を提供する。当該方法は、端末装置で使用されてよく、又は端末装置内のチップで使用されてよい。以下は、当該方法が端末装置で使用される例を用いて当該方法を説明する。方法は、以下を含む：端末装置は、ネットワーク装置により送信された第１指示情報を受信し、前記第１指示情報は、前記端末装置にターゲット送信モードで信号を送信するよう指示するために使用され、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ。前記端末装置は、前記ターゲット送信モードで前記ネットワーク装置へ信号を送信する。ソリューションによると、アップリンク信号を送信する成功率が低いことが分かると、前記ネットワーク装置は、前記ターゲット送信モードを決定し、前記第１指示情報に前記ターゲット送信モードを含め、前記第１指示情報を前記端末装置へ送信する。その結果、前記端末装置は、前記ターゲット送信モードで前記ネットワーク装置へ前記信号を送信する。この処理では、前記ネットワーク装置は、前記端末装置の送信モードを制御する。具体的に言うと、前記ネットワーク装置は、ネットワーク負荷に基づき前記ターゲット送信モードを決定する。その結果、多数の端末装置が前記ＥＤＴモード又は前記第１ランダムアクセスモードを使用する確率が効果的に低減できる。つまり、前記ＥＤＴモードにおける衝突確率、及び前記第１ランダムアクセスモードにおける衝突確率が低減され、前記非接続状態にある前記端末装置により前記許可無しモードでアップリンク信号を送信する成功率が向上する。
【０００８】
実現可能な設計では、端末装置がネットワーク装置により送信された第１指示情報を送信することは、以下を含む。前記端末装置は、前記ネットワーク装置により送信されたページングメッセージを受信し、前記ページングメッセージは前記第１指示情報を運ぶ。ソリューションによると、前記ネットワーク装置は、前記第１指示情報を前記端末装置へ、前記ページングメッセージにより送信する。その結果、前記端末装置は、前記第１指示情報の中の前記ターゲット送信モードで、前記ネットワーク装置へ前記信号を送信する。それにより、前記非接続状態にある前記端末装置により、前記許可無しモードで前記アップリンク信号を送信する前記成功率を向上する。
【０００９】
実現可能な設計では、端末装置がネットワーク装置により送信された第１指示情報を送信することは、以下を含む。前記端末装置は、無線ネットワーク一時識別子ＲＮＴＩを用いてスクランブリングされ前記ネットワーク装置により送信されたダウンリンク制御情報ＤＣＩを受信し、前記ＤＣＩは前記第１指示情報を運ぶ、又は、
前記端末装置は、ＲＮＴＩを用いてスクランブリングされ前記ネットワーク装置により送信されたＤＣＩを受信し、及び前記ＤＣＩに基づき物理ダウンリンク共有チャネルＰＤＳＣＨを受信し、前記ＰＤＳＣＨは前記第１指示情報を運ぶ。ソリューションによると、前記ネットワーク装置は、前記スクランブリングされたＤＣＩを用いて前記第１指示情報を前記端末装置へ送信し、その結果、前記端末装置は、前記第１指示情報の中の前記ターゲット送信モードで前記信号を前記ネットワーク装置へ送信し、又は、
前記ネットワーク装置は、前記ＰＤＳＣＨで前記第１指示情報を前記端末装置へ送信し、その結果、前記端末装置は、前記スクランブリングされたＤＣＩを受信した後に、前記ＤＣＩに基づき前記ＰＤＳＣＨを受信し、次に前記ＰＤＳＣＨに基づき前記第１指示情報を決定し、前記第１指示情報の中の前記ターゲット送信モードで前記ネットワーク装置へ前記信号を送信し、それにより、非接続状態にある前記端末装置により、前記許可無しモードで前記アップリンク信号を送信する前記成功率を向上する。
【００１０】
実現可能な設計では、端末装置がネットワーク装置により送信された第１指示情報を送信することは、以下を含む。前記端末装置は、無線ネットワーク一時識別子ＲＮＴＩを用いてスクランブリングされ前記ネットワーク装置により送信されたダウンリンク制御情報ＤＣＩを受信し、前記ＤＣＩは第１フィールドを含む。前記端末装置は、前記第１フィールドに基づき前記第１指示情報を決定する。ソリューションによると、前記ネットワーク装置は、前記スクランブリングされたＤＣＩにより、前記第１フィールドを含む前記第１指示情報を前記端末装置へ送信する。その結果、前記端末装置は、前記第１フィールドに基づき前記第１指示情報を決定し、前記第１指示情報の中の前記ターゲット送信モードで、前記ネットワーク装置へ前記信号を送信する。それにより、前記非接続状態にある前記端末装置により、前記許可無しモードで前記アップリンク信号を送信する前記成功率を向上する。
【００１１】
実行可能な設計では、前記端末装置は、カバレッジ拡張モードＢ（coverage  enhancement  mode  B,  CE  mode  B）にある端末装置、カバレッジ拡張レベル２  ＣＥlevel２にある端末装置、又はカバレッジ拡張レベルＣＥ  ｌｅｖｅｌ３にある端末装置であり、前記ＤＣＩはＤＣＩ  ｆｏｒｍａｔ６−０Ｂであり、前記第１フィールドは、前記ＤＣＩ内の変調及び符号化方式ＭＣＳフィールドであり、前記ＭＣＳフィールドの全部のビット値は１であり、前記第１指示情報により示される前記ターゲット送信モードは前記許可無し再送モードである、或いは、前記ＭＣＳフィールドの必ずしも全部のビット値が１ではなく、前記ターゲット送信モードは前記第１ランダムアクセスモード及び前記ＥＤＴ再送モードのうちのいずれかである。留意すべきことに、前記送信モードは、許可再送モードを更に含み、前記ＭＣＳフィールドの必ずしも全部のビット値は１ではなく、前記ターゲット送信モードは、前記第１ランダムアクセスモード、前記ＥＤＴモード、又は前記許可再送モードのうちのいずれか１つである。前記許可再送モードは、前記端末装置が前記ネットワーク装置の動的スケジューリング情報に基づき再送を実行すること、又は前記端末装置が前記ネットワーク装置のダウンリンク制御情報に基づき再送を実行することを意味する。
【００１２】
代替として、前記端末装置は、カバレッジ拡張モードＡ（coverage  enhancement  mode  A,  CE  mode  A）にある端末装置、カバレッジ拡張レベル０  ＣＥ  ｌｅｖｅｌ０にある端末装置、又はカバレッジ拡張レベル１  ＣＥ  ｌｅｖｅｌ１にある端末装置であり、前記ＤＣＩはＤＣＩ  ｆｒｏｍａｔ６−０Aであり、前記第１フィールドは、前記ＤＣＩ内のリソースブロック割り当てＲＡフィールドであり、前記ＲＡフィールドの全部のビット値は１であり、前記第１指示情報により示される前記ターゲット送信モードは前記許可無し再送モードである、或いは、前記ＲＡフィールドの必ずしも全部のビット値が１ではなく、前記ターゲット送信モードは前記第１ランダムアクセスモード及び前記ＥＤＴ再送モードのうちのいずれかである。留意すべきことに、前記送信モードは、許可再送モードを更に含み、前記ＭＣＳフィールドの必ずしも全部のビット値は１ではなく、前記ターゲット送信モードは、前記第１ランダムアクセスモード、前記ＥＤＴモード、又は前記許可再送モードのうちのいずれか１つである。
【００１３】
代替として、前記端末装置は、カバレッジ拡張モードＡ（coverage  enhancement  mode  A,  CE  mode  A）にある端末装置、カバレッジ拡張レベル０  ＣＥ  ｌｅｖｅｌ０にある端末装置、又はカバレッジ拡張レベル１  ＣＥ  ｌｅｖｅｌ１にある端末装置であり、前記ＤＣＩはＤＣＩ  ｆｏｒｍａｔ６−１Ａであり、前記第１フィールドは、前記ＤＣＩ内のリソースブロック割り当てＲＡフィールドであり、前記ＲＡフィールドの全部のビット値は１であり、前記第１指示情報により示される前記ターゲット送信モードは前記許可無し再送モードである、或いは、前記ＲＡフィールドの必ずしも全部のビット値が１ではなく、前記ターゲット送信モードは前記第１ランダムアクセスモード及び前記ＥＤＴ再送モードのうちのいずれかである。留意すべきことに、前記送信モードは、許可再送モードを更に含み、前記ＭＣＳフィールドの必ずしも全部のビット値は１ではなく、前記ターゲット送信モードは、前記第１ランダムアクセスモード、前記ＥＤＴモード、又は前記許可再送モードのうちのいずれか１つである。
【００１４】
代替として、前記端末装置は、カバレッジ拡張モードＡ（coverage  enhancement  mode  B,  CE  mode  B）にある端末装置、カバレッジ拡張レベル２  ＣＥ  ｌｅｖｅｌ２にある端末装置、又はカバレッジ拡張レベル  ＣＥ  ｌｅｖｅｌ３にある端末装置であり、前記ＤＣＩはＤＣＩ  ｆｒｏｍａｔ６−１Ｂであり、前記第１フィールドは、前記ＤＣＩ内のリソースブロック割り当てＲＡフィールドであり、前記ＲＡフィールドの全部のビット値は１であり、前記第１指示情報により示される前記ターゲット送信モードは前記許可無し再送モードである、或いは、前記ＲＡフィールドの必ずしも全部のビット値が１ではなく、前記ターゲット送信モードは前記第１ランダムアクセスモード及び前記ＥＤＴ再送モードのうちのいずれかである。留意すべきことに、前記送信モードは、許可再送モードを更に含み、前記ＭＣＳフィールドの必ずしも全部のビット値は１ではなく、前記ターゲット送信モードは、前記第１ランダムアクセスモード、前記ＥＤＴモード、又は前記許可再送モードのうちのいずれか１つである。
【００１５】
代替として、前記第１フィールドは、前記ＤＣＩ内の新規データ指示子ＮＤＩフィールドであり、前記ＮＤＩフィールドのビット値は０であり、前記ターゲット送信モードは前記第１ランダムアクセスモード又は前記ＥＤＴモードであり、或いは、前記ＮＤＩフィールドのビット値は１であり、前記ターゲット送信モードは前記許可無し再送モードである。
【００１６】
前述のソリューションによると、前記ネットワーク装置は、前記スクランブリングされたＤＣＩにより、前記第１フィールドを含む前記第１指示情報を前記端末装置へ送信する。その結果、前記端末装置は、前記第１フィールドに基づき前記第１指示情報を決定し、前記第１指示情報の中の前記ターゲット送信モードで、前記ネットワーク装置へ前記信号を送信する。それにより、前記非接続状態にある前記端末装置により、前記許可無しモードで前記アップリンク信号を送信する前記成功率を向上する。
【００１７】
実現可能な設計では、端末装置がネットワーク装置により送信された第１指示情報を送信することは、以下を含む。前記端末装置は、無線ネットワーク一時識別子ＲＮＴＩを用いてスクランブリングされ前記ネットワーク装置により送信されたダウンリンク制御情報ＤＣＩを受信し、前記ＤＣＩは第１フィールド及び第２フィールドを含む。前記端末は、前記第１フィールド及び前記第２フィールドに基づき前記第１指示情報を決定する。前記第１フィールドは、例えば、ＭＣＳフィールド又はＲＡフィールドであってよい。前記第２フィールドは、例えば、前記第１フィールド以外の別のフィールド、及び制御情報フォーマットを識別するためのフラグ、例えば、ＨＡＲＱプロセス番号フィールド若しくは反復数フィールドであってよい。これは、本実施形態において限定されない。ソリューションによると、前記ネットワーク装置は、前記スクランブリングされたＤＣＩにより、前記第１フィールド及び前記第２フィールドを含む前記第１指示情報を前記端末装置へ送信する。その結果、前記端末装置は、前記第１フィールド及び前記第２フィールドに基づき前記第１指示情報を決定し、前記第１指示情報により示された前記ターゲット送信モードで、前記ネットワーク装置へ前記信号を送信する。それにより、前記非接続状態にある前記端末装置により、前記許可無しモードで前記アップリンク信号を送信する前記成功率を向上する。
【００１８】
実行可能な設計では、前記ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む。ソリューションによると、前記ＤＣＩは、前記ＤＣＩを柔軟にスクランブリングするために、前記Ｐ−ＲＮＴＩ、前記Ｃ−ＲＮＴＩ、又は予め構成されたリソースＲＮＴＩを用いてスクランブリングされたＤＣＩである。
【００１９】
実行可能な設計ソリューションでは、前記ＤＣＩ  ｆｏｒｍａｔ６−２が前記第１指示情報を運ぶとき、前記ＤＣＩ  ｆｏｒｍａｔ６−２は、ページング無線ネットワーク一時識別子Ｐ−ＲＮＴＩを用いてスクランブリングされたＤＣＩ  ｆｒｏｍａｔ６−２であってよく、前記ＤＣＩ  ｆｒｏｍａｔ６−２のフラグは０である。任意で、この場合、前記第１指示情報は、前記ＤＣＩ  ｆｏｒｍａｔ６−２における直接指示情報（Direct  Indication  information）の中に位置し、例えば、第６ビット、第７ビット、又は第８ビットにより示され、或いは、別の未使用ビットにより示されてよい。伝達形式は、本願の本実施形態において限定されない。ソリューションによると、未使用ビットリソースは、新しくシグナリングを追加することを回避するために、再利用されてよい。
【００２０】
実行可能な設計では、前記第１指示情報は、以下の情報：電力情報、タイミングアドバンスＴＡ情報、又は反復数情報、のうちの少なくとも１つを更に含む。端末装置がネットワーク装置により送信された第１指示情報を受信した後に、前記方法は、更に以下を含む。前記端末装置は、前記第１指示情報の中の前記電力情報に基づき電力を調整し、前記ＴＡ情報に基づきアップリンク送信時間を調整し、前記反復数情報に基づき反復数を決定する。ソリューションによると、前記電力情報、前記ＴＡ情報、前記反復数、等は、前記端末装置の前記電力、前記アップリンク送信時間、又は前記反復数を調整するために、前記第１指示情報の中で運ばれる。
【００２１】
実行可能な設計では、前記ターゲット送信モードは、前記第１ランダムアクセスモード又は前記ＥＤＴモードであり、前記端末装置が前記第１指示情報に基づき前記ターゲット送信モードで信号を送信する前に、前記方法は更に以下を含む。前記端末装置は、前記ネットワーク装置により送信された第１情報を受信し、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、前記ランダムアクセスシーケンスの番号、のうちの少なくとも１つを含む。ソリューションによると、前記ターゲット送信モードが前記第１ランダムアクセスモード又は前記ＥＤＴモードであるとき、前記ネットワーク装置は、前記端末装置へ前記第１情報を送信し、前記第１情報は前記プリアンブルを示すために使用され、前記プリアンブルは、以下の情報：前記プリアンブルを送信するために使用される前記時間−周波数リソース、前記プリアンブルシーケンス、前記プリアンブルシーケンスの番号、前記ランダムアクセスシーケンス、又は前記ランダムアクセスシーケンスの番号、のうちの少なくとも１つを含み、その結果、前記端末装置は、前記第１情報に基づきランダムアクセス処理を開始し、それにより、前記非接続状態にある前記端末装置により、前記許可無しモードで前記アップリンク信号を送信する前記成功率を向上する。
【００２２】
実行可能な設計では、前記ターゲット送信モードが前記ランダムアクセスモードであり、前記端末装置が、前記ネットワーク装置へ、前記ターゲット送信モードで信号を送信することは、以下を含む。前記端末装置は、前記ネットワーク装置により送信された第２指示情報を受信し、前記第２指示情報は、前記端末装置に、前記第１ランダムアクセスモードに対応する第１ＰＲＡＣＨリソースを示すために使用され、前記第１ＰＲＡＣＨリソース上でランダムアクセス処理を開始し、前記第１ＰＲＡＣＨリソースは前記端末装置によってのみ使用される。代替として、前記端末装置は、第１ＰＲＡＣＨリソースグループから、第２ＰＲＡＣＨリソースを選択し、前記第２ＰＲＡＣＨリソース上でランダムアクセス処理を開始し、前記第１ＰＲＡＣＨリソースグループは共有ＰＲＡＣＨリソースであり、前記第１ＰＲＡＣＨリソースグループは少なくとも１つの第２ＰＲＡＣＨリソースを含む。言い換えると、前記第１ランダムアクセスモードでランダムアクセス要求を送信するために前記端末装置により使用される前記プリアンブルシーケンス及び／又は前記時間−周波数リソースは、前記ネットワーク装置により構成されたランダムアクセスリソースから前記端末装置により選択されてよく、又は、前記端末装置のために前記ネットワーク装置により構成された専用プリアンブルシーケンス及び／又は時間−周波数リソースであってよい（言い換えると、前記端末装置は、もはや、ネットワークにより構成された複数のプリアンブルシーケンスから、前記端末装置により使用される必要のあるプリアンブルシーケンス及び／又は時間−周波数リソースを選択する必要がない）。前記ネットワーク装置により構成された前記プリアンブルシーケンス及び／又は前記時間−周波数リソースは、非競合ランダムアクセス処理におけるプリアンブルシーケンス及び／又は時間−周波数リソースとも呼ばれてよい。基本的に、前記プリアンブルシーケンスは、前記ネットワーク装置により構成され、前記端末装置によりランダムに選択されず、前記ネットワークにより構成されたプリアンブルシーケンスは、同じ時間−周波数リソース上で別のユーザと共有されない。ソリューションによると、前記ターゲット送信モードが前記第１ランダムアクセスモードであるとき、前記端末装置は、前記ネットワーク装置により構成された前記固有第１ＰＲＡＣＨリソース，又は前記共有第２ＰＲＡＣＨリソース上で前記ランダムアクセス処理を開始し、前記非接続状態にある前記端末装置により、前記許可無しモードで前記アップリンク信号を送信する前記成功率を向上する。
【００２３】
実行可能な設計では、前記ターゲット送信モードが前記ＥＤＴモードであり、前記端末装置が、前記ネットワーク装置へ、前記ターゲット送信モードで信号を送信することは、以下を含む。前記端末装置は、前記ネットワーク装置により送信された第３指示情報を受信し、前記第３指示情報は、前記端末装置に、前記ＥＤＴモードに対応する第３ＰＲＡＣＨリソースを示すために使用され、前記第３ＰＲＡＣＨリソース上でランダムアクセス処理を開始し、前記第３ＰＲＡＣＨリソースは前記端末装置によってのみ使用される。代替として、前記端末装置は、第２ＰＲＡＣＨリソースグループから、第４ＰＲＡＣＨリソースを選択し、前記第４ＰＲＡＣＨリソース上でランダムアクセス処理を開始し、前記第２ＰＲＡＣＨリソースグループは共有ＰＲＡＣＨリソースである。言い換えると、前記ＥＤＴモードで前記ランダムアクセス要求を開始するために前記端末装置により使用される前記プリアンブルシーケンス及び／又は前記時間−周波数リソースは、前記ネットワーク装置により構成されたランダムアクセスリソースから前記端末装置により選択されてよく、又は、前記ＥＤＴモードのための前記プリアンブルシーケンス及び／又は前記時間−周波数リソースは、前記端末装置のために前記ネットワーク装置により構成された専用プリアンブルシーケンス及び／又は時間−周波数リソースであってよい（言い換えると、前記端末装置は、もはや、ネットワークにより構成された複数のプリアンブルから、前記端末装置により使用される必要のあるプリアンブルシーケンス及び／又は時間−周波数リソースを選択する必要がない）。前記ネットワーク装置により構成された前記プリアンブルシーケンス及び／又は前記時間−周波数リソースは、非競合ランダムアクセス処理におけるプリアンブルシーケンス及び／又は時間−周波数リソースとも呼ばれてよい。基本的に、前記プリアンブルシーケンスは、前記ネットワーク装置により構成され、前記端末装置によりランダムに選択されず、前記ネットワークにより構成されたプリアンブルシーケンスは、同じ時間−周波数リソース上で別のユーザと共有されない。ソリューションによると、前記ターゲット送信モードが前記ＥＤＴモードであるとき、前記端末装置は、前記ネットワーク装置により構成された前記固有第３ＰＲＡＣＨリソース、又は前記共有第４ＰＲＡＣＨリソース上で前記ランダムアクセス処理を開始し、前記非接続状態にある前記端末装置により、前記許可無しモードで前記アップリンク信号を送信する前記成功率を向上する。
【００２４】
実行可能な設計では、前記ターゲット送信モードが前記許可無し再送モードであり、前記端末装置が、前記ネットワーク装置へ、前記ターゲット送信モードで信号を送信することは、以下を含む。前記端末装置は、前記ネットワーク装置へ、予め構成されたリソースのうちの全部又は一部を用いて前記信号を送信し、前記予め構成されたリソースは、前記端末装置のために前記ネットワーク装置により予め構成されたリソースである。ソリューションによると、前記端末装置は、前記許可無し送信モードで前記信号を送信する。
【００２５】
第２の態様によると、本願の一実施形態は、信号送信方法を提供する。当該方法は、ネットワーク装置で使用されてよく、又はネットワーク装置内のチップで使用されてよい。以下は、当該方法がネットワーク装置で使用される例を用いて当該方法を説明する。当該方法は、以下を含む：ネットワーク装置は、ターゲット送信モードを決定し、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ。前記ネットワーク装置は、第１指示情報を端末装置へ送信する。ここで、前記第１指示情報は、前記端末装置に、前記ターゲット送信モードで信号を送信するよう指示するために使用される。前記ネットワーク装置は、前記ターゲット送信モードで前記端末装置により送信された信号を受信する。アップリンク信号を送信する成功率が低いことが分かると、前記ネットワーク装置は、前記ターゲット送信モードを決定し、前記第１指示情報に前記ターゲット送信モードを含め、前記第１指示情報を前記端末装置へ送信する。その結果、前記端末装置は、前記ターゲット送信モードで前記ネットワーク装置へ前記信号を送信する。この処理では、前記ネットワーク装置は、前記端末装置の送信モードを制御する。具体的に言うと、前記ネットワーク装置は、ネットワーク負荷に基づき前記ターゲット送信モードを決定する。その結果、多数の端末装置が前記ＥＤＴモード又は前記第１ランダムアクセスモードを使用する確率が効果的に低減できる。つまり、前記ＥＤＴモードにおける衝突確率、及び前記第１ランダムアクセスモードにおける衝突確率が低減され、前記非接続状態にある前記端末装置により前記許可無しモードでアップリンク信号を送信する成功率が向上する。
【００２６】
実現可能な設計では、前記ネットワーク装置が端末装置へ第１指示情報を送信することは、以下を含む。前記ネットワーク装置は、前記端末装置へ、ページングメッセージを送信し、前記ページングメッセージは前記第１指示情報を運ぶ。ソリューションによると、前記ネットワーク装置は、前記第１指示情報を前記端末装置へ、前記ページングメッセージにより送信する。その結果、前記端末装置は、前記第１指示情報の中の前記ターゲット送信モードで、前記ネットワーク装置へ前記信号を送信する。それにより、前記非接続状態にある前記端末装置により、前記許可無しモードで前記アップリンク信号を送信する前記成功率を向上する。
【００２７】
実現可能な設計では、前記ネットワーク装置が端末装置へ第１指示情報を送信することは、以下を含む。前記ネットワーク装置は、前記端末装置へ、無線ネットワーク一時識別子ＲＮＴＩを用いてスクランブリングされたダウンリンク制御情報ＤＣＩを送信し、前記ＤＣＩは前記第１指示情報を運ぶ、又は、
前記ネットワーク装置は、前記端末装置へ、無線ネットワーク一時識別子ＲＮＴＩを用いてスクランブリングされたダウンリンク制御情報ＤＣＩを送信し、前記ＤＣＩに基づき物理ダウンリンク共有チャネルＰＤＳＣＨを送信し、前記ＰＤＳＣＨは前記第１指示情報を運ぶ。ソリューションによると、前記ネットワーク装置は、前記スクランブリングされたＤＣＩを用いて前記第１指示情報を前記端末装置へ送信し、その結果、前記端末装置は、前記第１指示情報の中の前記ターゲット送信モードで前記信号を前記ネットワーク装置へ送信し、又は、
前記ネットワーク装置は、前記ＰＤＳＣＨで前記第１指示情報を前記端末装置へ送信し、その結果、前記端末装置は、前記スクランブリングされたＤＣＩを受信した後に、前記ＤＣＩに基づき前記ＰＤＳＣＨを受信し、次に前記ＰＤＳＣＨに基づき前記第１指示情報を決定し、前記第１指示情報の中の前記ターゲット送信モードで前記ネットワーク装置へ前記信号を送信し、それにより、非接続状態にある前記端末装置により、前記許可無しモードで前記アップリンク信号を送信する前記成功率を向上する。
【００２８】
実行可能な設計では、前記ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む。ソリューションによると、前記ＤＣＩは、前記ＤＣＩを柔軟にスクランブリングするために、前記Ｐ−ＲＮＴＩ、前記Ｃ−ＲＮＴＩ、又は予め構成されたリソースＲＮＴＩを用いてスクランブリングされたＤＣＩである。
【００２９】
実行可能な設計ソリューションでは、前記ＤＣＩ  ｆｏｒｍａｔ６−２が前記第１指示情報を運ぶとき、前記ＤＣＩ  ｆｏｒｍａｔ６−２は、ページング無線ネットワーク一時識別子（paging−radio  network  temporary  identity,  P−RNTI）を用いてスクランブリングされたＤＣＩ  ｆｒｏｍａｔ６−２であってよく、前記ＤＣＩ  ｆｒｏｍａｔ６−２のフラグ（flag）は０である。任意で、この場合、前記第１指示情報は、前記ＤＣＩ  ｆｏｒｍａｔ６−２における直接指示情報（Direct  Indication  information）の中に位置し、例えば、第６ビット、第７ビット、又は第８ビットにより示され、或いは、別の未使用ビットにより示されてよい。伝達形式は、本願の本実施形態において限定されない。ソリューションによると、未使用ビットリソースは、新しくシグナリングを追加することを回避するために、再利用されてよい。
【００３０】
実現可能な設計では、前記ネットワーク装置が端末装置へ第１指示情報を送信することは、以下を含む。前記ネットワーク装置は、前記端末装置へ、無線ネットワーク一時識別子ＲＮＴＩを用いてスクランブリングされたダウンリンク制御情報ＤＣＩを送信し、前記ＤＣＩは第１フィールドを含み、前記第１フィールドは前記第１指示情報を決定するために使用される。ソリューションによると、前記ネットワーク装置は、前記スクランブリングされたＤＣＩにより、前記第１フィールドを含む前記第１指示情報を前記端末装置へ送信する。その結果、前記端末装置は、前記第１フィールドに基づき前記第１指示情報を決定し、前記第１指示情報の中の前記ターゲット送信モードで、前記ネットワーク装置へ前記信号を送信する。それにより、前記非接続状態にある前記端末装置により、前記許可無しモードで前記アップリンク信号を送信する前記成功率を向上する。
【００３１】
実現可能な設計では、前記ネットワーク装置が端末装置へ第１指示情報を送信することは、以下を含む。前記ネットワーク装置は、前記端末装置へ、無線ネットワーク一時識別子ＲＮＴＩを用いてスクランブリングされたダウンリンク制御情報ＤＣＩを送信し、前記ＤＣＩは第１フィールド及び第２フィールドを含み、前記第１フィールド及び前記第２フィールドは前記第１指示情報を決定するために使用される。ソリューションによると、前記ネットワーク装置は、前記スクランブリングされたＤＣＩにより、前記第１フィールド及び前記第２フィールドを含む前記第１指示情報を前記端末装置へ送信する。その結果、前記端末装置は、前記第１フィールド及び前記第２フィールドに基づき前記第１指示情報を決定し、前記第１指示情報により示された前記ターゲット送信モードで、前記ネットワーク装置へ前記信号を送信する。それにより、前記非接続状態にある前記端末装置により、前記許可無しモードで前記アップリンク信号を送信する前記成功率を向上する。
【００３２】
実行可能な設計では、前記第１指示情報は、以下の情報：電力情報、タイミングアドバンスＴＡ情報、又は反復数情報、のうちの少なくとも１つを更に含む。ソリューションによると、前記電力情報、前記ＴＡ情報、前記反復数、等は、前記端末装置の電力、アップリンク送信時間、又は反復数を調整するために、前記第１指示情報の中で運ばれる。
【００３３】
実行可能な設計では、前記ターゲット送信モードは、前記第１ランダムアクセスモード又は前記ＥＤＴモードであり、前記ネットワーク装置が端末装置へ第１指示情報を送信した後に、前記方法は、更に以下を含む。前記ネットワーク装置は、前記端末装置へ、第１情報を送信し、前記第１情報は、プリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む。ソリューションによると、前記ターゲット送信モードが前記第１ランダムアクセスモード又は前記ＥＤＴモードであるとき、前記ネットワーク装置は、前記端末装置へ前記第１情報を送信し、前記第１情報は前記プリアンブルを示すために使用され、前記プリアンブルは、以下の情報：前記プリアンブルを送信するために使用される前記時間−周波数リソース、前記プリアンブルシーケンス、前記プリアンブルシーケンスの番号、前記ランダムアクセスシーケンス、又は前記ランダムアクセスシーケンスの番号、のうちの少なくとも１つを含み、その結果、前記端末装置は、前記第１情報に基づきランダムアクセス処理を開始し、それにより、前記非接続状態にある前記端末装置により、前記許可無しモードで前記アップリンク信号を送信する前記成功率を向上する。
【００３４】
実行可能な設計では、前記ターゲット送信モードは、前記第１ランダムアクセスモードであり、前記ネットワーク装置が端末装置へ第１指示情報を送信した後に、前記方法は、更に以下を含む。前記ネットワーク装置は、前記端末装置へ、第２指示情報を送信し、前記第２指示情報は、前記端末装置へ、前記第１ランダムアクセスモードに対応する第１ＰＲＡＣＨリソースを示すために使用され、前記第１ＰＲＡＣＨリソースは、前記端末装置によってのみ使用され、又は、
前記ネットワーク装置は、前記端末装置のために第１ＰＲＡＣＨリソースグループを構成し、前記第１ＰＲＡＣＨリソースグループは共有ＰＲＡＣＨリソースであり、前記第１ＰＲＡＣＨリソースグループは少なくとも１つの第２ＰＲＡＣＨリソースを含む。ソリューションによると、前記ターゲット送信モードが前記第１ランダムアクセスモードであるとき、前記端末装置は、前記ネットワーク装置により構成された前記固有第１ＰＲＡＣＨリソース、又は前記共有第２ＰＲＡＣＨリソース上で前記ランダムアクセス処理を開始し、前記非接続状態にある前記端末装置により、前記許可無しモードで前記アップリンク信号を送信する前記成功率を向上する。
【００３５】
実行可能な設計では、前記ターゲット送信モードは、前記ＥＤＴモードであり、前記ネットワーク装置が端末装置へ第１指示情報を送信した後に、前記方法は、更に以下を含む。前記ネットワーク装置は、前記端末装置へ、第３指示情報を送信し、前記第３指示情報は、前記端末装置へ、前記ＥＤＴモードに対応する第３ＰＲＡＣＨリソースを示すために使用され、前記第３ＰＲＡＣＨリソースは、前記端末装置によってのみ使用され、又は、
前記ネットワーク装置は、前記端末装置のために第２ＰＲＡＣＨリソースグループを構成し、前記第２ＰＲＡＣＨリソースグループは共有ＰＲＡＣＨリソースであり、前記第２ＰＲＡＣＨリソースグループは少なくとも１つの第４ＰＲＡＣＨリソースを含む。ソリューションによると、前記ターゲット送信モードが前記ＥＤＴモードであるとき、前記端末装置は、前記ネットワーク装置により構成された前記固有第３ＰＲＡＣＨリソース、又は前記共有第４ＰＲＡＣＨリソース上で前記ランダムアクセス処理を開始し、前記非接続状態にある前記端末装置により、前記許可無しモードで前記アップリンク信号を送信する前記成功率を向上する。
【００３６】
実行可能な設計では、前記ターゲット送信モードが前記許可無し再送モードであり、前記ネットワーク装置が、前記端末装置により前記ターゲット送信モードで送信された信号を受信することは、以下を含む。前記ネットワーク装置は、前記端末装置により前記ネットワーク装置へ前記許可無しモードで、予め構成されたリソースのうちの全部又は一部を用いて送信された前記信号を受信し、前記予め構成されたリソースは、前記端末装置のために前記ネットワーク装置により予め構成されたリソースである。ソリューションによると、前記端末装置は、前記許可無し送信モードで前記信号を送信する。
【００３７】
第３の態様によると、本願の一実施形態は、信号送信方法を提供する。当該方法は、端末装置で使用されてよく、又は端末装置内のチップで使用されてよい。以下は、当該方法が端末装置で使用される例を用いて当該方法を説明する。前記方法は、以下を含む：端末装置は、肯定応答情報のピースの数に基づき、ターゲット送信モードを決定し、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ。前記端末装置は、前記ターゲット送信モードで前記ネットワーク装置へ信号を送信する。ソリューションによると、アップリンク信号を送信する成功率が低いことが分かると、前記端末装置は、前記肯定応答情報に基づき前記ターゲット送信モードを決定し、前記ターゲット送信モードで前記ネットワーク装置へ前記信号を送信する。この処理において、前記端末装置は、肯定応答情報のピースの前記数に基づき前記ターゲット送信モードを決定し、前記非接続状態にある前記端末装置により前記許可無しモードで前記アップリンク信号を送信する前記成功率を向上する。
【００３８】
実行可能な実装では、前記端末装置が肯定応答情報のピースの数に基づきターゲット送信モードを決定することは、以下を含む。前記端末装置は、肯定応答メッセージの前記数が所定の閾値以下であるかどうかを決定し、前記数が前記所定の閾値以下である場合、前記端末装置は、前記ターゲット送信モードが前記許可無し再送モードであると決定する。ソリューションによると、前記端末装置により受信されたＮＡＣＫ情報のピースの数、又は前記端末装置により受信されなかったＡＣＫ情報のピースの数が、前記所定の閾値以下であるとき、前記端末装置は、前記許可無し再送モードで前記信号を送信し、前記非接続状態にある前記端末装置により前記許可無しモードで前記アップリンク信号を送信する前記成功率を向上する。前記所定の閾値は１を含むがこれに限定されない。
【００３９】
実行可能な設計では、前記端末装置が肯定応答情報のピースの数に基づきターゲット送信モードを決定することは、以下を含む。前記数が前記所定の閾値より大きい場合、前記端末装置は、無線リソース制御ＲＲＣ構成情報から第４指示情報を読み出し、前記第４指示情報は、前記ターゲット送信モードが前記第１ランダムアクセスモード又は前記ＥＤＴモードであることを示すために使用される。前記端末装置は、前記第４指示情報に基づき前記ターゲット送信モードを決定する。ソリューションによると、前記端末装置により受信されたＮＡＣＫ情報のピースの数、又は前記端末装置により受信されなかったＡＣＫ情報のピースの数が、前記所定の閾値より大きいとき、前記端末装置は、前記第４指示情報に基づき前記ターゲット送信モードを決定し、前記非接続状態にある前記端末装置により前記許可無しモードで前記アップリンク信号を送信する前記成功率を向上する。
【００４０】
実行可能な設計では、前記端末装置が肯定応答情報のピースの数に基づきターゲット送信モードを決定することは、以下を含む。前記数が前記所定の閾値より大きい場合、前記端末装置は、第１情報に基づき、前記ターゲット送信モードが前記第１ランダムアクセスモード又は前記ＥＤＴモードであると決定し、前記第１情報は、前記端末装置の識別子及び／又は時間−周波数リソースである。ソリューションによると、前記端末装置により受信されたＮＡＣＫ情報のピースの数、又は前記端末装置により受信されなかったＡＣＫ情報のピースの数が、前記所定の閾値より大きいとき、前記端末装置は、前記識別子及び／又は前記時間−周波数リソースに基づき前記ターゲット送信モードを決定し、前記非接続状態にある前記端末装置により前記許可無しモードで前記アップリンク信号を送信する前記成功率を向上する。
【００４１】
実行可能な設計では、前記ターゲット送信モードは、前記第１ランダムアクセスモードであり、前記端末装置が前記第１指示情報に基づき前記ターゲット送信モードで信号を送信する前に、前記方法は更に以下を含む。前記端末装置は、前記ネットワーク装置により送信された第１情報を受信し、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、前記ランダムアクセスシーケンスの番号、のうちの少なくとも１つを含む。ソリューションによると、前記ターゲット送信モードが前記第１ランダムアクセスモード又は前記ＥＤＴモードであるとき、前記ネットワーク装置は、前記端末装置へ前記第１情報を送信し、前記第１情報は前記プリアンブルを示すために使用され、前記プリアンブルは、以下の情報：前記プリアンブルを送信するために使用される前記時間−周波数リソース、前記プリアンブルシーケンス、前記プリアンブルシーケンスの番号、前記ランダムアクセスシーケンス、又は前記ランダムアクセスシーケンスの番号、のうちの少なくとも１つを含み、その結果、前記端末装置は、前記第１情報に基づきランダムアクセス処理を開始し、それにより、前記非接続状態にある前記端末装置により、前記許可無しモードで前記アップリンク信号を送信する前記成功率を向上する。
【００４２】
実行可能な設計では、前記肯定応答情報は、前記端末装置により受信された否定応答情報、又は前記端末装置により受信されない肯定応答情報である。ソリューションによると、前記肯定応答情報は柔軟に設定され、その結果、前記端末装置は、異なるシナリオのために前記ターゲット送信モードを決定できる。
【００４３】
第４の態様によると、本願の一実施形態は、信号送信方法を提供する。当該方法は、ネットワーク装置で使用されてよく、又はネットワーク装置内のチップで使用されてよい。以下は、当該方法がネットワーク装置で使用される例を用いて当該方法を説明する。前記方法は、以下を含む：ネットワーク装置は、端末装置へ、肯定応答情報を送信し、その結果、前記端末装置は、肯定応答情報のピースの数に基づき、ターゲット送信モードを決定し、前記ターゲット送信モードは、以下のモード：第１ランダムアクセスモード、早期データ送信ＥＤＴモード、又は許可無し再送モード、のうちのいずれか１つを含み、前記第１ランダムアクセスモードは、競合ランダムアクセスモード又は非競合ランダムアクセスモードを含み、前記競合ランダムアクセスモードにおけるメッセージＭｓｇ３はアップリンクデータを運ばず、前記ＥＤＴ送信モードにおけるＭｓｇ３はアップリンクデータを運ぶ。前記ネットワーク装置は、前記ターゲット送信モードで前記端末装置により送信された信号を受信する。ソリューションによると、アップリンク信号を送信する成功率が低いことが分かると、前記端末装置は、前記肯定応答情報に基づき前記ターゲット送信モードを決定し、前記ターゲット送信モードで前記ネットワーク装置へ前記信号を送信する。この処理において、前記端末装置は、肯定応答情報のピースの前記数に基づき前記ターゲット送信モードを決定し、前記非接続状態にある前記端末装置により前記許可無しモードで前記アップリンク信号を送信する前記成功率を向上する。
【００４４】
実行可能な設計では、前記ターゲット送信モードは、前記第１ランダムアクセスモード又は前記ＥＤＴモードであり、ネットワーク装置が端末装置へ肯定応答情報を送信した後に、前記方法は、更に以下を含む。前記ネットワーク装置は、前記端末装置へ、第１情報を送信し、前記第１情報は、プリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む。ソリューションによると、前記ターゲット送信モードが前記第１ランダムアクセスモード又は前記ＥＤＴモードであるとき、前記ネットワーク装置は、前記端末装置へ前記第１情報を送信し、前記第１情報は前記プリアンブルを示すために使用され、前記プリアンブルは、以下の情報：前記プリアンブルを送信するために使用される前記時間−周波数リソース、前記プリアンブルシーケンス、前記プリアンブルシーケンスの番号、前記ランダムアクセスシーケンス、又は前記ランダムアクセスシーケンスの番号、のうちの少なくとも１つを含み、その結果、前記端末装置は、前記第１情報に基づきランダムアクセス処理を開始し、それにより、前記非接続状態にある前記端末装置により、前記許可無しモードで前記アップリンク信号を送信する前記成功率を向上する。
【００４５】
第５の態様によると、本願の一実施形態は、通信機器を提供する。当該通信機器は、端末装置であってよく、又は端末装置内のチップであってよい。当該通信機器は、処理モジュール、受信モジュール、及び送信モジュールを含んでよい。前記機器が端末装置であるとき、前記処理モジュールはプロセッサであってよく、前記受信モジュールは受信機であってよく、前記送信モジュールは送信機であってよい。前記端末装置は、記憶モジュールを更に含んでよく、前記記憶モジュールはメモリであってよい。前記記憶モジュールは、命令を格納するよう構成され、前記処理モジュールは、前記記憶モジュールに格納された前記命令を実行し、その結果、前記端末装置は、第１の態様又は第１の態様の可能な実装のうちのいずれか１つに記載の信号送信方法を実行する。前記機器が端末装置内のチップであるとき、処理モジュールはプロセッサであってよく、受信モジュール及び前記送信モジュールは、入力／出力インタフェース、ピン、回路、等であってよい。処理モジュールは、記憶モジュールに格納された命令を実行してよく、その結果、前記端末装置は、第１の態様又は第１の態様の可能な実装のうちのいずれか１つによる信号送信方法を実行する。前記記憶モジュールは、前記チップ内の記憶モジュール（例えば、レジスタ又はキャッシュ）であってよく、又は前記通信装置内の前記チップの外部にある記憶モジュール（例えば、読み出し専用メモリ又はランダムアクセスメモリ）であってよい。
【００４６】
第６の態様によると、本願の一実施形態は、通信機器を提供する。当該通信機器は、ネットワーク装置であってよく、又はネットワーク装置内のチップであってよい。当該通信機器は、処理モジュール、送信モジュール、及び受信モジュールを含んでよい。前記機器がネットワーク装置であるとき、前記処理モジュールはプロセッサであってよく、前記送信モジュールは送信機であってよく、前記受信モジュールは受信機であってよい。前記ネットワーク装置は、記憶モジュールを更に含んでよく、前記記憶モジュールはメモリであってよい。前記記憶モジュールは、命令を格納するよう構成され、前記処理モジュールは、前記記憶モジュールに格納された前記命令を実行し、その結果、前記ネットワーク装置は、第２の態様又は第２の態様の可能な実装のうちのいずれか１つに記載の信号送信方法を実行する。前記機器がネットワーク端末装置内のチップであるとき、処理モジュールはプロセッサであってよく、受信モジュール及び前記送信モジュールは、入力／出力インタフェース、ピン、回路、等であってよい。前記処理モジュールは、記憶モジュールに格納された命令を実行してよく、その結果、前記ネットワーク装置は、第２の態様又は第２の態様の可能な実装のうちのいずれか１つによる信号送信方法を実行する。前記記憶モジュールは、前記チップ内の記憶モジュール（例えば、レジスタ又はキャッシュ）であってよく、又は前記ネットワーク装置内の前記チップの外部にある記憶モジュール（例えば、読み出し専用メモリ又はランダムアクセスメモリ）であってよい。
【００４７】
第７の態様によると、本願の一実施形態は、通信機器を提供する。当該通信機器は、端末装置であってよく、又は端末装置内のチップであってよい。当該通信機器は、処理モジュール、受信モジュール、及び送信モジュールを含んでよい。前記機器が端末装置であるとき、前記処理モジュールはプロセッサであってよく、前記受信モジュールは受信機であってよく、前記送信モジュールは送信機であってよい。前記端末装置は、記憶モジュールを更に含んでよく、前記記憶モジュールはメモリであってよい。前記記憶モジュールは、命令を格納するよう構成され、前記処理モジュールは、前記記憶モジュールに格納された前記命令を実行し、その結果、前記端末装置は、第３の態様又は第３の態様の可能な実装のうちのいずれか１つに記載の信号送信方法を実行する。前記機器が端末装置内のチップであるとき、処理モジュールはプロセッサであってよく、受信モジュール及び前記送信モジュールは、入力／出力インタフェース、ピン、回路、等であってよい。前記処理モジュールは、記憶モジュールに格納された命令を実行してよく、その結果、前記端末装置は、第３の態様又は第３の態様の可能な実装のうちのいずれか１つによる信号送信方法を実行する。前記記憶モジュールは、前記チップ内の記憶モジュール（例えば、レジスタ又はキャッシュ）であってよく、又は前記通信装置内の前記チップの外部にある記憶モジュール（例えば、読み出し専用メモリ又はランダムアクセスメモリ）であってよい。
【００４８】
第８の態様によると、本願の一実施形態は、通信機器を提供する。当該通信機器は、ネットワーク装置であってよく、又はネットワーク装置内のチップであってよい。当該通信機器は、処理モジュール、送信モジュール、及び受信モジュールを含んでよい。前記機器がネットワーク装置であるとき、前記処理モジュールはプロセッサであってよく、前記送信モジュールは送信機であってよく、前記受信モジュールは受信機であってよい。前記ネットワーク装置は、記憶モジュールを更に含んでよく、前記記憶モジュールはメモリであってよい。前記記憶モジュールは、命令を格納するよう構成され、前記処理モジュールは、前記記憶モジュールに格納された前記命令を実行し、その結果、前記ネットワーク装置は、第４の態様又は第４の態様の可能な実装のうちのいずれか１つに記載の信号送信方法を実行する。前記機器がネットワーク端末装置内のチップであるとき、処理モジュールはプロセッサであってよく、受信モジュール及び前記送信モジュールは、入力／出力インタフェース、ピン、回路、等であってよい。前記処理モジュールは、記憶モジュールに格納された命令を実行してよく、その結果、前記ネットワーク装置は、第４の態様又は第４の態様の可能な実装のうちのいずれか１つによる信号送信方法を実行する。前記記憶モジュールは、前記チップ内の記憶モジュール（例えば、レジスタ又はキャッシュ）であってよく、又は前記ネットワーク装置内の前記チップの外部にある記憶モジュール（例えば、読み出し専用メモリ又はランダムアクセスメモリ）であってよい。
【００４９】
第９の態様によると、本願の一実施形態は、命令を含むコンピュータプログラムプロダクトを提供する。前記コンピュータプログラムプロダクトがコンピュータ上で実行すると、該コンピュータは、第１の態様又は第１の態様の可能な実装のうちのいずれか１つの方法を実行可能にされる。
【００５０】
第１０の態様によると、本願の一実施形態は、命令を含むコンピュータプログラムプロダクトを提供する。前記コンピュータプログラムプロダクトがコンピュータ上で実行すると、該コンピュータは、第２の態様又は第２の態様の可能な実装のうちのいずれか１つの方法を実行可能にされる。
【００５１】
第１１の態様によると、本願の一実施形態は、命令を含むコンピュータプログラムプロダクトを提供する。前記コンピュータプログラムプロダクトがコンピュータ上で実行すると、該コンピュータは、第３の態様又は第３の態様の可能な実装のうちのいずれか１つの方法を実行可能にされる。
【００５２】
第１２の態様によると、本願の一実施形態は、命令を含むコンピュータプログラムプロダクトを提供する。前記コンピュータプログラムプロダクトがコンピュータ上で実行すると、該コンピュータは、第４の態様又は第４の態様の可能な実装のうちのいずれか１つの方法を実行可能にされる。
【００５３】
第１３の態様によると、本願の実施形態は、コンピュータ可読記憶媒体を提供する。前記コンピュータ可読記憶媒は命令を格納し、前記命令がコンピュータ上で実行されると、該コンピュータは、第１の態様又は第１の態様の可能な実装のうちのいずれか１つの方法を実行可能にされる。
【００５４】
第１４の態様によると、本願の一実施形態は、コンピュータ可読記憶媒体を提供する。前記コンピュータ可読記憶媒体は命令を格納し、前記命令がコンピュータ上で実行されると、該コンピュータは、第２の態様又は第２の態様の可能な実装のうちのいずれか１つの方法を実行可能にされる。
【００５５】
第１５の態様によると、本願の実施形態は、コンピュータ可読記憶媒体を提供する。前記コンピュータ可読記憶媒は命令を格納し、前記命令がコンピュータ上で実行されると、該コンピュータは、第３の態様又は第３の態様の可能な実装のうちのいずれか１つの方法を実行可能にされる。
【００５６】
第１６の態様によると、本願の一実施形態は、コンピュータ可読記憶媒体を提供する。前記コンピュータ可読記憶媒体は命令を格納し、前記命令がコンピュータ上で実行されると、該コンピュータは、第４の態様又は第４の態様の可能な実装のうちのいずれか１つの方法を実行可能にされる。
【００５７】
第１７の態様によると、本願の一実施形態は、チップを提供する。前記チップは、プロセッサを含み、メモリを更に含んでよく、前述の方法における端末装置の機能を実装するために、通信インタフェースを更に含んでよい。前記チップはチップを含んでよく、又はチップ及び別の個別素子を含んでよい。
【００５８】
第１８の態様によると、本願の一実施形態は、チップを提供する。前記チップは、プロセッサを含み、メモリを更に含んでよく、前述の方法におけるネットワーク装置の機能を実装するために、通信インタフェースを更に含んでよい。前記チップはチップを含んでよく、又はチップ及び別の個別素子を含んでよい。
【００５９】
本願の実施形態で提供される信号送信方法及び通信機器によると、前記アップリンク信号を送信する前記成功率が低いことが分かると、前記ネットワーク装置は、前記ターゲット送信モードを決定し、前記第１指示情報に前記ターゲット送信モードを含め、前記第１指示情報を前記端末装置へ送信する。その結果、前記端末装置は、前記ターゲット送信モードで前記ネットワーク装置へ前記信号を送信する。この処理では、前記ネットワーク装置は、前記端末装置の送信モードを制御する。具体的に言うと、前記ネットワーク装置は、ネットワーク負荷に基づき前記ターゲット送信モードを決定する。その結果、多数の端末装置が前記ＥＤＴモード又は前記第１ランダムアクセスモードを使用する確率が効果的に低減できる。つまり、前記ＥＤＴモードにおける衝突確率、及び前記第１ランダムアクセスモードにおける衝突確率が低減され、前記非接続状態にある前記端末装置により前記許可無しモードでアップリンク信号を送信する前記成功率が向上する。
【図面の簡単な説明】
【００６０】
【図１】本願の一実施形態による信号送信方法に適用可能なシナリオの概略図である。
【００６１】
【図２】本願の一実施形態による信号送信方法のフローチャートである。
【００６２】
【図３】本願の一実施形態による別の信号送信方法を示す。
【００６３】
【図４】本願の一実施形態による通信機器の概略構造図である。
【００６４】
【図５】本願の一実施形態による通信機器の概略構造図である。
【００６５】
【図６】本願の一実施形態による通信機器の概略構造図である。
【００６６】
【図７】本願の一実施形態による通信機器の概略構造図である。
【００６７】
【図８】本願の一実施形態による端末装置の概略構造図である。
【００６８】
【図９】本願の一実施形態によるネットワーク装置の概略構造図である。
【発明を実施するための形態】
【００６９】
通常、端末装置の状態は、端末装置のＲＲＣ接続状態に基づき、接続（connected）状態、非アクティブ（inactive）状態、アイドル（idle）状態、等に分類されてよい。接続状態では、無線リソース制御（radio  resource  control,  RRC）接続が、端末装置とネットワーク装置との間に確立され、端末装置はネットワーク装置と直接通信できる。アイドル状態では、端末装置とネットワーク装置との間にＲＲＣ接続は存在せず、データは直接送信できず、データ送信は、ＲＲＣ接続が確立された後にのみ実行できる。非アクティブ状態は、接続状態とアイドル状態との間の状態であり、非アクティブ状態では、端末装置は構成情報を格納し、該構成情報に基づき素早く接続状態に入ってよい。接続状態にある端末装置について、端末装置がネットワーク装置へ許可無しモードでアップリンク信号を送信するとき、アップリンク信号の送信失敗レートが比較的高い場合、ネットワーク装置は、ＲＲＣ接続を用いて、端末装置に、動的許可モードでアップリンク信号を送信するよう指示する。動的許可モードでは、端末装置は、ブラインド検出を通じて、ネットワーク装置により送信されたＰＤＣＣＨを受信し、ＰＤＣＣＨで運ばれたＤＣＩにより示されるリソース上でアップリンク信号を送信する。ＰＤＣＣＨは、機械型通信物理ダウンリンク制御チャネル（MTC  Physical  Downlink  Control  Channel,  MPDCCH）及び狭帯域物理ダウンリンク制御チャネル（NB  Physical  Downlink  Control  Channel,  NPDCCH）のうちの少なくとも１つを含んでよい。現在、端末装置が非接続状態、例えば非アクティブ状態またはアイドル状態にあるとき、端末装置がネットワーク装置へ許可無しモードでアップリンク信号を送信することが議論されている。しかしながら、非接続状態にある端末装置では、許可無しモードでアップリンク信号を送信する成功率が比較的低いとき、端末装置とネットワーク装置との間にＲＲＣ接続が確立されない又はユーザ固有探索空間が存在しないために、許可無しモードは動的許可モードへと切り替えることができない。従って、非接続状態にある端末装置について、許可無しモードでアップリンク信号を送信する成功率が比較的低いとき、当業界には、アップリンク信号送信の成功率を保証するための適切な方法が存在しない。
【００７０】
これに鑑み、本願の実施形態は、非接続状態にある端末装置により許可無しモードでアップリンク信号を送信する成功率を向上するために、信号送信方法を提供する。
【００７１】
本願の実施形態で提供される信号送信方法は、第３世代移動通信（the  ３rd  Generation  Mobile  Communication,  ３G）システム、ロングタームエボリューション（Long  Term  Evolution,  LTE）システム、第４世代移動通信（the  ４th  Generation  Mobile  Communication,  ４G）システム、アドバンストロングタームエボリューション（Advanced  long  term  evolution,  LTE−A）システム、第３世代パートナーシッププロジェクト（The  ３rd  Generation  Partnership  Project,  ３GPP）に関連するセルラシステム、第５世代移動通信（the  ５th  Generation  Mobile  Communication,  ５G）システム、ＬＴＥ−Ａに基づく派生システム、及び後に展開される通信システムのために使用されてよい。ＬＴＥ−Ａに基づく派生システムは、ＭＴＣシステム、将来のｅＭＴＣ（further  eMTC）システム、更に将来のｅＭＴＣ（even  further  eMTC）システム、等を含む。
【００７２】
本願の実施形態におけるネットワーク装置は、マクロ基地局若しくはマイクロ基地局のような基地局であってよく、無線アクセスネットワークの中に配置され端末装置との無線通信を実行できる装置である。基地局は、受信した無線フレームとインターネットプロトコル（internet  protocol  (IP)）パケットとの間の変換を実行し、端末装置とアクセスネットワークの残りの部分との間のルータとしてサービスするよう構成されてよい。ここで、アクセスネットワークの残りの部分ＩＰネットワークを含んでよい。基地局は、更に、無線インタフェースの属性管理を調整してよい。例えば、基地局は、グローバルシステムフォーモバイルコミュニケーションズ（Global  System  of  Mobile  communication,  GSM）又は符号分割多元接続（Code  Division  Multiple  Access,  CDMA）システムにおける基地トランシーバ局（Base  Transceiver  Station,  BTS）であってよく、又は広帯域符号分割多元接続（Wideband  Code  Division  Multiple  Access,  WCDMA）システムにおけるＮｏｄｅＢ（NodeB）であってよく、又はＬＴＥにおける進化型ＮｏｄｅＢ（evolved  NodeB,  eNB又はeNodeB）であってよく、又はＮＲにおけるｇＮＢ、等であってよい。代替として、基地局は、クラウド無線アクセスネットワーク（cloud  radio  access  network,  CRAN）シナリオにおける無線制御部であってよく、中継局、アクセスポイント、車載装置、ウェアラブル装置、５Ｇネットワークにおけるネットワーク装置、将来の進化型ＰＬＭＮネットワークにおけるネットワーク装置、等であってよい。これは、本願の実施形態において限定されない。
【００７３】
本願の実施形態における端末装置は、ユーザに音声及び／又はデータ接続を提供し得る装置、無線接続機能を備えるハンドヘルド装置、又は無線モデムに接続された別の処理装置であってよい。端末装置は、無線アクセスネットワーク（Radio  Access  Network,  RAN）を通じて１つ以上のコアネットワークと通信してよい。端末装置は、移動電話機（「セルラ」フォンとも呼ばれる）のようなモバイル端末装置、又はモバイル端末装置を備えるコンピュータであってよく、例えば、ポータブルなポケットサイズのハンドヘルド型の、コンピュータ内蔵型の又は車載モバイル機器であってよい。それらは、無線アクセスネットワークと音声及び／又はデータを交換する。例えば、端末装置は、個人向け通信サービス（personal  communication  service,  PCS）電話機、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続された別の処理装置、車載装置、ウェアラブル装置、将来の５Ｇネットワークにおける端末、将来の進化型公衆地上モバイルネットワーク（Public  Land  Mobile  Network,  PLMN）における端末装置、ｅＭＴＣ端末装置、等であってよい。これは、本願の実施形態において限定されない。端末装置は、システム、加入者ユニット（Subscriber  Unit）、加入者局（Subscriber  Station）、移動局（Mobile  Station）、移動体（Mobile）、リモート局（Remote  Station）、アクセスポイント（access  point）、リモート端末装置（Remote  Terminal）、アクセス端末装置（Access  Terminal）、ユーザ端末装置（User  Terminal）、ユーザエージェント（User  Agent）、ユーザ装置（user  device）、ユーザ機器（User  Equipment）とも呼ばれてよい。
【００７４】
図１は、本願の一実施形態による信号送信方法に適用可能なシナリオの概略図である。図１を参照すると、ネットワーク装置、及び端末装置１〜端末装置６は、通信システムを形成する。通信システムでは、端末装置１〜端末装置６のうちのいずれか１つは、ネットワーク装置により送信された第１指示情報を受信し、第１指示情報により示されたターゲット送信モードで、ネットワーク装置へ信号を送信する。更に、端末装置４〜端末装置６も、通信システムを形成する。通信システムでは、端末装置４及び端末装置６のいずれかは、端末装置５により送信された第１指示情報を受信し、第１指示情報により示されたターゲット送信モードで、端末装置５へ信号を送信する。
【００７５】
以下は、図１に示されるシナリオに基づき、本願における信号送信方法を詳細に説明する。例えば、図２を参照する。
【００７６】
図２は、本願の一実施形態による信号送信方法のフローチャートである。本実施形態では、本願における信号送信方法は、ネットワーク装置と端末装置との間の相互作用の観点から説明される。本実施形態は、以下のステップを含む。
【００７７】
１０１。ネットワーク装置は、ターゲット送信モードを決定する。
【００７８】
ターゲット送信モードは、以下のモード：第１ランダムアクセスモード、早期データ送信ＥＤＴモード、又は許可無し再送モード、のうちのいずれか１つを含み、第１ランダムアクセスモードは競合ランダムアクセスモード又は非競合ランダムアクセスモードを含み、競合ランダムアクセスモードにおけるメッセージＭｓｇ３はアップリンクデータを運ばず、ＥＤＴ送信モードにおけるＭｓｇ３はアップリンクデータを運ぶ。
【００７９】
任意で、本願の本実施形態では、端末装置は、ネットワーク装置へ信号を送信し、復調参照信号（demodulation  reference  signal,  DMRS）検出又はエネルギ検出のような方法で、端末装置により送信された信号を決定した後に、ネットワーク装置は、信号内で運ばれたデータを受信し復号する。ネットワーク装置が復号に失敗した、又は復号の失敗の数が所定の値より大きいとき、ターゲット送信モードは、ネットワーク負荷等に基づき決定されてよい。例えば、現在第１ランダムアクセスモードで信号を送信している比較的多数の端末装置が存在すると決定すると、言い換えると、第１ランダムアクセスモードのネットワーク負荷が比較的重いとき、ネットワーク装置は、ターゲット送信モードがＥＤＴモードであると決定する。別の例では、現在ＥＤＴモードで信号を送信している比較的多数の端末装置が存在すると決定すると、言い換えると、ＥＤＴモードのネットワーク負荷が比較的重いとき、ネットワーク装置は、ターゲット送信モードが第１ランダムアクセスモードであると決定する。別の例では、端末装置の電力が比較的低いと決定すると、ネットワーク装置は、端末装置の電力を調整し、ターゲット送信モードが許可無し再送モードであると決定する。
【００８０】
１０２。ネットワーク装置は、第１指示情報を端末装置へ送信する。
【００８１】
本願の本実施形態では、非接続状態は、接続状態以外の状態であり、限定ではないが、アイドル状態及び非アクティブ状態を含む。端末装置は、非接続状態にある端末装置であり、非接続状態にある端末装置は許可無しモードでネットワーク装置へ信号を送信する。例えば、非アクティブ状態にある端末装置は、許可無しモードで、ネットワーク装置へアップリンク信号を送信する。別の例では、アイドル状態にある端末装置は、許可無しモードで、ネットワーク装置へアップリンク信号を送信する。許可無しモードは、ネットワーク装置が端末装置のためにリソースを予め構成し、端末装置がアップリンク信号を送信する又は信号を受信するために該リソースを使用することを意味する。この方法では、ネットワーク装置は、端末装置のためにリソースを指定するために、制御情報を動的に配信する必要がない。端末装置が接続状態または非接続状態にあるとき、端末装置は、予め構成されたリソースで許可無し送信を実行してよい。予め構成されたリソースは許可無しリソースとも呼ばれてよい。許可無し再送は、再送が構成された許可無しリソース上で実行され、構成された許可無しリソースがアップリンク信号又はダウンリンク信号の初期送信のために使用されることを意味する。更に、許可無し再送は、予め構成されたリソース再送、構成された許可再送、等とも呼ばれてよい。許可無し再送は、単なる例示的な名称であり、基本的に、再送は構成された許可無しリソース上で実行される。言い換えると、許可無しモードでは、許可無しモードのための時間−周波数リソースは、予め定められ又は予め構成され、端末装置は、予め定められ又は予め構成された時間−周波数リソース上でアップリンク信号を送信し又はダウンリンク信号を受信してよい。予め構成されたリソースは予め構成されたアップリンクリソース（preconfigured  uplink  resource,  PUR）、予め構成されたダウンリンクリソース（preconfigured  downlink  resource,  PDR）、等を含む。ＰＵＲ及びＰＤＲは、単なる例示的な名称である。ＰＵＲが一例として使用される。基本的に、ネットワーク装置は、端末装置のために第１リソースを構成する。その結果、端末装置は、第１リソース上でアップリンク情報を送信でき、ネットワーク装置に田尾雨滴スケジューリングを実行すること又はスケジューリングを実行するためにダウンリンク制御情報を使用することを要求しない。第１リソースはＰＵＲであり、第１リソースは、代替として別の名称、例えば、構成された許可リソース、を有してよい。理解されるべきことに、構成された許可リソースが本願の本実施形態における第１リソースにより実装される機能も実施できる場合、構成された許可リソースは、本願の本実施形態における第１リソースとしても理解されてよい。
【００８２】
任意で、このステップでは、ネットワーク装置は、ターゲット送信モードを第１指示情報に含め、第１指示情報を端末装置へ送信して、端末装置にターゲット送信モードで信号を送信するよう指示する。相応して、端末装置は、ネットワーク装置により送信された第１指示情報を受信する。ターゲット送信モードは、以下の送信モード：第１ランダムアクセスモード、早期データ送信（early  data  transmission,  EDT）モード、及び許可無し再送モード、のうちのいずれか１つを含む。送信モードは、以下に詳細に説明される。
【００８３】
先ず、第１ランダムアクセスモードが説明される。
【００８４】
任意で、本願の本実施形態では、第１ランダムアクセスモードは、競合ランダムアクセスモードであってよく、以下のステップを含む。ステップ１。端末装置は、ランダムアクセス要求、つまりメッセージ１（Ｍｓｇ１）をネットワーク装置へ送信して、ランダムアクセスを要求する。ステップ２。Ｍｓｇ１を受信した後に、ネットワーク装置は、ランダムアクセス応答（random  access  response,  RAR）メッセージ、つまりメッセージ２（Ｍｓｇ２）を端末装置へ送信して、端末装置に応答する。ステップ３。Ｍｓｇ２を受信した後に、端末装置は、アップリンク情報、つまりメッセージ３（Ｍｓｇ３）を、ネットワーク装置により割り当てられたアップリンク送信リソースで送信する。ステップ４。Ｍｓｇ３を受信した後に、ネットワーク装置は、競合解決メッセージ、つまりメッセージ４（Ｍｓｇ４）を端末装置へ送信する。Ｍｓｇ３は、端末装置のアップリンク信号を運ばない。任意で、本願の本実施形態では、第１ランダムアクセスモードは、代替として、非競合ランダムアクセスモードであってよく、以下のステップを含む。ステップ１。端末装置は、ランダムアクセス要求、つまりメッセージ１（Ｍｓｇ１）をネットワーク装置へ送信して、ランダムアクセスを要求する。ステップ２。Ｍｓｇ１を受信した後に、ネットワーク装置は、ランダムアクセス応答（random  access  response,  RAR）メッセージ、つまりメッセージ２（Ｍｓｇ２）を端末装置へ送信して、端末装置に応答する。ランダムアクセス処理が達成されて、ＲＲＣ接続を確立する。
【００８５】
次に、ＥＤＴモードが説明される。
【００８６】
任意で、本願の本実施形態では、ＥＤＴモードは、ランダムアクセスモードであり、例えば、競合メカニズムに基づくランダムアクセスモードであってよい。端末装置がランダムアクセスを開始する処理では、端末装置は、Ｍｓｇ１〜Ｍｓｇ４をネットワーク装置と交換する。例示的な処理については、第１ランダムアクセスモードにおける競合メカニズムに基づくランダムアクセス処理の説明を参照する。詳細はここで再び記載されない。第１ランダムアクセスモードとの差は、早期データ送信ＥＤＴモードにおけるＭｓｇについて、メッセージ３が端末装置のアップリンクデータを運ぶ点にある。
【００８７】
任意で、本願の本実施形態では、ＥＤＴモードは、代替として、非競合メカニズムに基づくランダムアクセスモードであってよい。端末装置がランダムアクセスを開始する処理では、端末装置は、Ｍｓｇ１及びMsg２をネットワーク装置と交換する。例示的な処理については、第１ランダムアクセスモードにおける非競合メカニズムに基づくランダムアクセスモードの説明を参照する。詳細はここで再び記載されない。第１ランダムアクセスモードとの差は、早期データ送信ＥＤＴモードにおいて、アップリンクデータがメッセージ２の後に送信され始める点にある。
【００８８】
最後に、許可無し再送モードが説明される。
【００８９】
本願の本実施形態では、端末装置の比較的低い電力のような理由から、ネットワーク装置が受信したアップリンク信号を復号するのに失敗すると、ネットワーク装置は、端末装置に、許可無し再送を実行するよう指示する。任意で、ネットワーク装置は、電力情報、再送数、等を端末装置に更に示してよい。その結果、端末装置は、電力、再送数、等を調整する。
【００９０】
更に、許可無し再送モードを使用するとき、端末装置は、予め構成されたリソースのうちの全部又は一部を用いて、ネットワーク装置へ信号を送信してよい。予め構成されたリソースは、端末装置のためにネットワーク装置により予め構成されたリソースである。
【００９１】
留意すべきことに、ターゲット送信モードは、第１ランダムアクセスモード、ＥＤＴモード、又は許可無し再送モードのうちのいずれか１つである。しかしながら、これは、本願の本実施形態において限定されない。別の実行可能な実装では、ターゲット送信モードは、第１ランダムアクセスモード、ＥＤＴモード、許可無し再送モード、又は許可再送モードのうちのいずれか１つであってよい。許可再送モードは、端末装置がネットワーク装置の動的スケジューリング情報に基づき再送を実行すること、又は端末装置がネットワーク装置のダウンリンク制御情報に基づき再送を実行することを意味する。
【００９２】
１０３。端末装置は、ターゲット送信モードでネットワーク装置へ信号を送信する。
【００９３】
このステップでは、第１指示信号を受信した後に、端末装置は、第１指示情報により示されたターゲット送信モードで、ネットワーク装置へ信号を送信する。例えば、ターゲット送信モードが第１ランダムアクセスモードであるとき、端末装置は、第１ランダムアクセスモードに対応する物理ランダムアクセスチャネル（physical  random  access  channel,  PRACH）上でランダムアクセス処理を開始する。この処理では、Ｍｓｇ３はアップリンク信号を運ばない、又は処理は非競合メカニズムに基づくランダムアクセス処理である。別の例では、ターゲット送信モードがＥＤＴモードであるとき、端末装置は、ＥＤＴモードに対応するＰＲＡＣＨリソース上でランダムアクセスパーティを開始する。この処理では、Ｍｓｇ３はアップリンク信号を運ぶ。ＰＲＡＣＨリソースは、プリアンブルシーケンス、時間−周波数リソース、等を含む。更に別の例では、ターゲット送信モードが許可無し再送モードであるとき、端末装置は、許可無しモードで、ネットワーク装置へ信号を再送信し続ける。
【００９４】
本願の本実施形態で提供される信号送信方法によると、アップリンク信号を送信する成功率が低いことが分かると、ネットワーク装置は、ターゲット送信モードを決定し、第１指示情報にターゲット送信モードを含め、第１指示情報を端末装置へ送信する。その結果、端末装置は、ターゲット送信モードでネットワーク装置へ信号を送信する。この処理では、ネットワーク装置は、端末装置の送信モードを制御する。具体的に言うと、ネットワーク装置は、ネットワーク負荷に基づきターゲット送信モードを決定する。その結果、多数の端末装置がＥＤＴモード又は第１ランダムアクセスモードを使用する確率が効果的に低減できる。つまり、ＥＤＴモードにおける衝突確率、及び第１ランダムアクセスモードにおける衝突確率が低減され、非接続状態にある端末装置により許可無しモードでアップリンク信号を送信する成功率が向上する。
【００９５】
以下は、前述の実施形態において、ネットワーク装置が第１指示情報を端末装置へどのように送信するかを詳細に説明する。
【００９６】
実行可能な実装では、端末装置へ第１指示情報を送信するとき、ネットワーク装置は、端末装置へページングメッセージを送信する。ここで、ページングメッセージは第１指示情報を運ぶ。
【００９７】
例えば、ネットワーク装置は、端末装置へ、第１指示情報を運ぶページングメッセージを送信する。端末装置は、ページング（paging）メッセージを、ページング機会（paging  occasion）に基づき受信する。ページングメッセージは、ユーザ機器識別子（user  equipment  identity,  UE−ID）リストを運び、端末装置は、端末装置のＵＥ−ＩＤに基づき、端末装置のＵＥ−ＩＤがＵＥ−ＩＤリスト内に存在するかどうかを決定する。ＵＥ−ＩＤリストが端末装置のＵＥ−ＩＤを含む場合、端末装置は、ページングメッセージを更に読み出し、ページングメッセージから第１指示情報をパースして取り出す。例えば、第１指示情報は、ページングメッセージ内のメージングレコード（paging  record）の中で又は別の場所で運ばれてよい。これは、本願の本実施形態において限定されない。更に、本願の本実施形態ではＵＥ−ＩＤは、システムアーキテクチャエボリューション一時移動局識別子（System  Architecture  Evolution  Temporary  Mobile  Station  Identifier,  S−TMSI）、国際移動体加入者識別子（international  mobile  subscriber  identification  number,  IMSI）、セル無線ネットワーク一時識別子（cell  radio  network  temporary  identity,  C−RNTI）、等であってよい。
【００９８】
以下は、前述の実施形態における第１指示情報を詳細に説明する。
【００９９】
例えば、第１指示情報は１ビット情報であり、１は、ターゲット送信モードがＥＤＴモードであることを示し、０は、ターゲット送信モードが第１ランダムアクセスモードであることを示す。
【０１００】
別の例では、第１指示情報は２ビット情報であり、００は、ターゲット送信モードが許可無し再送モードであることを示し、０１は、ターゲット送信モードが第１ランダムアクセスモードであることを示し、１０は、ターゲット送信モードがＥＤＴモードであることを示す。
【０１０１】
例えば、第１指示情報は１ビット情報であり、０は、ターゲット送信モードが許可無し再送モードであることを示し、１は、ターゲット送信モードがＥＤＴモード又は第１ランダムアクセスモードであることを示す。第１指示情報が１であるとき、端末装置は、第１ランダムアクセスモード又はＥＤＴモードにランダムにフォールバックする。代替として、端末装置がＥＤＴモードをサポートする場合、端末装置は、ＥＤＴモードにフォールバックする。代替として、端末装置がＥＤＴモードをサポートしない場合、端末装置は、第１ランダムアクセスモードにフォールバックする。代替として、端末装置は、端末装置のＵＥ−ＩＤに基づき、ＥＤＴモード又は第１ランダムアクセスモードにフォールバックすることを決定する。例えば、端末装置は、ｍｏｄ（ＵＥ−ＩＤ，２）の値を決定し、ｍｏｄ（ＵＥ−ＩＤ，２）＝１のとき、つまりＵＥ−ＩＤと２との間の剰余が１であるとき、端末装置はＥＤＴモードにフォールバックする。ｍｏｄ（ＵＥ−ＩＤ，２）＝０のとき、つまりＵＥ−ＩＤと２との間の剰余が０であるとき、端末装置は、第１ランダムアクセスモードにフォールバックする。
【０１０２】
更に別の例では、第１指示情報は１ビット情報であり、０は、ターゲット送信モードが許可無し再送モードであることを示し、１は、ターゲット送信モードが第１ランダムアクセスモードであることを示す。
【０１０３】
更に別の例では、第１指示情報は１ビット情報であり、０は、ターゲット送信モードが許可無し再送モードであることを示し、１は、ターゲット送信モードがＥＤＴモードであることを示す。
【０１０４】
留意すべきことに、以上は、第１指示情報のサイズ、コンテンツ、等の単なる例を説明した。しかしながら、これは、本願の本実施形態において限定されない。別の実行可能な実装では、第１指示情報のサイズ及びコンテンツは、代替として、要件に基づき柔軟に設定されてよい。
【０１０５】
本実施形態では、ネットワーク装置は、第１指示情報を端末装置へ、ページングメッセージにより送信する。その結果、端末装置は、第１指示情報の中のターゲット送信モードで、ネットワーク装置へ信号を送信する。それにより、非接続状態にある端末装置により、許可無しモードでアップリンク信号を送信する成功率を向上する。
【０１０６】
実行可能な実装では、第１指示情報を端末装置へ送信するとき、ネットワーク装置は、端末装置へ、無線ネットワーク一時識別子（radio  network  temporary  identity,  RNTI）を用いてスクランブリングされたダウンリンク制御情報ＤＣＩを送信する。ここで、ＤＣＩは第１指示情報を運ぶ。留意すべきことに、ＤＣＩが第１指示情報を運ぶことは、ＤＣＩが第１指示情報を含むこと、ＤＣＩが第１指示情報等を含むこととして理解されてよい。
【０１０７】
例えば、ネットワーク装置は、端末装置へ、第１指示情報を運ぶＤＣＩを送信する。ここで、ＤＣＩはＲＮＴＩを用いてスクランブリングされたＤＣＩである。ＤＣＩを受信した後に、端末装置は、ＤＣＩをパースして、第１指示情報を取得してよい。例えば、ＤＣＩが第１指示情報を含むとき、第１指示情報は、ＤＣＩの新規データ指示子ＮＤＩに含まれる。ＮＤＩフィールドのビット値が０であるとき、ターゲット送信モードは第１ランダムアクセスモード又はＥＤＴモードであり、或いは、ＮＤＩフィールドのビット値が１であるとき、ターゲット送信モードは許可無し再送モードである。代替として、ＮＤＩのビット値が０であるとき、ターゲット送信モードは許可無し送信モードであり、或いは、ＮＤＩのビット値が１であるとき、ターゲット送信モードは第１ランダムアクセスモード又はＥＤＴモードである。
【０１０８】
本ソリューションが使用されるとき、第１指示情報の説明については、前述の、ページングメッセージを介して第１指示情報を送信する際の第１指示情報の説明を参照する。詳細はここで再び記載されない。
【０１０９】
本実施形態では、ネットワーク装置は、第１指示情報を端末装置へ、スクランブリングされたＤＣＩにより送信する。その結果、端末装置は、第１指示情報の中のターゲット送信モードで、ネットワーク装置へ信号を送信する。それにより、非接続状態にある端末装置により、許可無しモードでアップリンク信号を送信する成功率を向上する。
【０１１０】
実行可能な実装では、第１指示情報を端末装置へ送信するとき、ネットワーク装置は、端末装置へ、無線ネットワーク一時識別子（radio  network  temporary  identity,  RNTI）を用いてスクランブリングされたダウンリンク制御情報ＤＣＩを送信する。ここで、ＤＣＩは第１指示情報を運ぶ。ＤＣＩを受信した後に、端末装置は、ＤＣＩに基づき、物理ダウンリンク共有チャネルＰＤＳＣＨを受信する。ここで、ＰＤＳＣＨは第１指示情報を運ぶ。
【０１１１】
ＤＣＩが第１指示情報を運ぶ前述の実施形態と比べて、本実施形態では、第１指示情報はＰＤＳＣＨで運ばれる。ＤＣＩを受信した後に、端末装置は、ＤＣＩにより示されたリソース上でＰＤＳＣＨを受信し、更にＰＤＳＣＨを読み取り、第１指示情報を取得する。
【０１１２】
本ソリューションが使用されるとき、第１指示情報の説明については、前述の、ページングメッセージを介して第１指示情報を送信する際の第１指示情報の説明を参照する。詳細はここで再び記載されない。
【０１１３】
本実施形態では、ネットワーク装置は、ＰＤＳＣＨで第１指示情報を端末装置へ送信する。その結果、スクランブリングされたＤＣＩを受信した後に、端末装置は、ＤＣＩに基づきＰＤＳＣＨを決定し、更にＰＤＳＣＨに基づき第１指示情報を決定し、第１指示情報の中のターゲット送信モードで、ネットワーク装置へ信号を送信する。それにより、非接続状態にある端末装置により、許可無しモードでアップリンク信号を送信する成功率を向上する。
【０１１４】
実行可能な実装では、第１指示情報を端末装置へ送信するとき、ネットワーク装置は、端末装置へ、無線ネットワーク一時識別子（radio  network  temporary  identity,  RNTI）を用いてスクランブリングされたダウンリンク制御情報ＤＣＩを送信する。ここで、ＤＣＩは第１フィールドを含む。第１フィールドを含むＤＣＩを受信した後に、端末装置は、第１フィールドに基づき第１指示情報を決定する。
【０１１５】
例えば、第１フィールドと、第１指示情報により示されるターゲット送信モードとの間の対応は、端末装置に予め構成されてよい。その結果、ＤＣＩを受信した後に、端末装置は、ＤＣＩ内のフィールドをパースして、第１指示情報を決定し、ターゲット送信モードを決定してよい。例えば、第１フィールドは、ＤＣＩの変調及び符号化方式（Modulation  and  Coding  Scheme,  MCS）として予め構成される。ＭＣＳフィールドの全部のビット値が１であるとき、第１指示情報は、許可無し再送モードを示す。
【０１１６】
本実施形態では、ネットワーク装置は、スクランブリングされたＤＣＩにより、第１フィールドを含む第１指示情報を端末装置へ送信する。その結果、端末装置は、第１フィールドに基づき第１指示情報を決定し、第１指示情報の中のターゲット送信モードで、ネットワーク装置へ信号を送信する。それにより、非接続状態にある端末装置により、許可無しモードでアップリンク信号を送信する成功率を向上する。
【０１１７】
以下は、端末装置が第１フィールドに基づき第１指示情報をどのように決定するかを詳細に説明する。
【０１１８】
実行可能な設計では、端末装置は、カバレッジ拡張モードＢ（coverage  enhancement  mode  B,  CE  Mode  B）にある端末装置であり、ＤＣＩはＤＣＩ  ｆｏｒｍａｔ６−０Ｂであり、第１フィールドは、ＤＣＩ内の変調及び符号化方式ＭＣＳフィールドであり、ＭＣＳフィールドの全部のビット値は１であり、第１指示情報により示されるターゲット送信モードは許可無し再送モードである、或いは、ＭＣＳフィールドの必ずしも全部のビット値が１ではなく、ターゲット送信モードは第１ランダムアクセスモード及びＥＤＴ再送モードのうちのいずれかである。留意すべきことに、送信モードは、許可再送モードを更に含み、ＭＣＳフィールドの必ずしも全部のビット値は１ではなく、ターゲット送信モードは、第１ランダムアクセスモード、ＥＤＴモード、又は許可再送モードのうちのいずれか１つである。
【０１１９】
別の実行可能設計では、端末装置は、カバレッジ拡張モードＡ  ＣＥ  ｍｏｄｅ  Ａにある端末装置であり、ＤＣＩはＤＣＩ  ｆｏｒｍａｔ６−０Ａであり、第１フィールドはＤＣＩ内のリソースブロック割り当て（resource  block  assignment,  RA）フィールドであり、ＲＡフィールドの全部のビット値が１であるとき、第１指示情報により示されるターゲット送信モードは許可無し再送モードであり、或いは、ＲＡフィールドの必ずしも全部のビット値が１ではないとき、ターゲット送信モードは第１ランダムアクセスモード又はＥＤＴ再送モードのいずれかである。留意すべきことに、送信モードは、許可再送モードを更に含み、ＭＣＳフィールドの必ずしも全部のビットは１ではなく、ターゲット送信モードは、第１ランダムアクセスモード、ＥＤＴモード、又は許可再送モードのうちのいずれか１つである。
【０１２０】
更に別の実行可能な設計では、端末装置は、カバレッジ拡張モードＡ  ＣＥ  ｍｏｄｅ  Ａにある端末装置であり、ＤＣＩはＤＣＩ  ｆｏｒｍａｔ６−１Ａであり、第１フィールドは、ＤＣＩ内のリソースブロック割り当てＲＡフィールドであり、ＲＡフィールドの全部のビット値が１であるとき、第１指示情報により示されるターゲット送信モードは許可無し再送モードである、或いは、ＲＡフィールドの必ずしも全部のビット値が１ではないとき、ターゲット送信モードは第１ランダムアクセスモード及びＥＤＴ再送モードのうちのいずれかである。留意すべきことに、送信モードが許可再送モードを更に含むとき、ＭＣＳフィールドの必ずしも全部のビット値は１ではなく、ターゲット送信モードは、第１ランダムアクセスモード、ＥＤＴモード、又は許可再送モードのうちのいずれか１つである。
【０１２１】
更に別の実行可能設計では、端末装置は、カバレッジ拡張モードＢ  ＣＥ  ｍｏｄｅ  Ｂにある端末装置であり、ＤＣＩはＤＣＩ  ｆｏｒｍａｔ６−１Ｂであり、第１フィールドはＤＣＩ内のリソースブロック割り当てＲＡフィールドであり、ＲＡフィールドの全部のビット値が１であるとき、第１指示情報により示されるターゲット送信モードは許可無し再送モードであり、或いは、ＲＡフィールドの必ずしも全部のビット値が１ではないとき、ターゲット送信モードは第１ランダムアクセスモード又はＥＤＴ再送モードのいずれかである。留意すべきことに、送信モードが許可再送モードを更に含むとき、ＭＣＳフィールドの必ずしも全部のビット値は１ではなく、ターゲット送信モードは、第１ランダムアクセスモード、ＥＤＴモード、又は許可再送モードのうちのいずれか１つである。
【０１２２】
更に別の実行可能な設計では、第１フィールドはＤＣＩ内の新規データ指示子ＮＤＩである。ＮＤＩフィールドのビット値が０であるとき、ターゲット送信モードは第１ランダムアクセスモード又はＥＤＴモードであり、或いは、ＮＤＩフィールドのビット値が１であるとき、ターゲット送信モードは許可無し再送モードである。代替として、ＮＤＩフィールドのビット値が０であるとき、ターゲット送信モードは許可無し送信モードであり、或いは、ＮＤＩのビット値が１であるとき、ターゲット送信モードは第１ランダムアクセスモード又はＥＤＴモードである。
【０１２３】
実行可能な実装では、第１指示情報を端末装置へ送信するとき、ネットワーク装置は、端末装置へ、無線ネットワーク一時識別子（radio  network  temporary  identity,  RNTI）を用いてスクランブリングされたダウンリンク制御情報ＤＣＩを送信する。ここで、ＤＣＩは第１フィールド及び第２フィールドを含む。第１フィールド及び第２フィールドを含むＤＣＩを受信した後に、端末装置は、第１フィールド及び第２フィールドに基づき第１指示情報を決定する。
【０１２４】
例えば、第１フィールドと、第２フィールドと、第１指示情報により示されるターゲット送信モードとの間の対応は、端末装置に予め構成されてよい。その結果、ＤＣＩを受信した後に、端末装置は、ＤＣＩ内の第１フィールド及び第２フィールドをパースして、第１指示情報を決定し、第１指示情報に基づきターゲット送信モードを決定してよい。例えば、第１フィールドは、ＤＣＩの変調及び符号化方式（Modulation  and  Coding  Scheme,  MCS）として予め構成され、第２フィールドは、反復数フィールド、ハイブリッド自動再送要求プロセス番号（hybrid  automatic  repeat,  HARQ  process  number）フィールド、等であってよい。第１フィールドがＭＣＳであり、第２フィールドが反復数フィールドであり、第２フィールドが２ビットである例が使用される。第２フィールドの２ビットの値は、００、０１、１０、及び１１として表されてよい。第１フィールド及び第２フィールドを含むＤＣＩを受信すると、端末装置は、先ず、ＭＣＳフィールド全体が１であるかどうかを決定し、ＭＣＳフィールドの全部のビット値が１であるとき、端末装置は第２フィールドを決定する。第２フィールドの２ビットの値が００又は１１である場合、それは、ターゲット送信モードが許可無し再送モードであることを示す。第２フィールドの２ビットの値が０１である場合、それは、ターゲット送信モードがＥＤＴモードであることを示す。第２フィールドの２ビットの値が１０である場合、それは、ターゲット送信モードが第１ランダムアクセスモードであることを示す。
【０１２５】
本実施形態では、ネットワーク装置は、スクランブリングされたＤＣＩにより、第１フィールド及び第２フィールドを含む第１指示情報を端末装置へ送信する。その結果、端末装置は、第１フィールド及び第２フィールドに基づき第１指示情報を決定し、第１指示情報により示されたターゲット送信モードで、ネットワーク装置へ信号を送信する。それにより、非接続状態にある端末装置により、許可無しモードでアップリンク信号を送信する成功率を向上する。
【０１２６】
前述の実施形態では、フィールドの全部のビット値が１であることは、フィールドの全部のビットが１に設定されることとして理解されてよい。
【０１２７】
前述の実施形態では、第１フィールドは、例えばＭＣＳフィールド又はＲＡフィールドを含む。これは、本願の本実施形態において限定されない。第２フィールドは、例えば、第１フィールド以外の別のフィールド、及び制御情報フォーマットを識別するためのフラグ、例えば、ＨＡＲＱプロセス番号フィールド及び／又は反復数フィールドを含む。
【０１２８】
以下は、ＲＮＴＩを用いてスクランブリングされたＤＣＩ又はスクランブリングされたＤＣＩに対応するＰＤＳＣＨが第１指示情報を運ぶときに対応するＲＮＴＩを詳細に説明する。
【０１２９】
実行可能な実装では、ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む。
【０１３０】
本願の本実施形態では、ＲＮＴＩは、例えば、ページング無線ネットワーク一時識別子（paging  radio  network  temporary  identity,  P−RNTI）、セル無線ネットワーク一時識別子（cell  radio  network  temporary  identity,  C−RNTI）、又は予め構成されたリソースＲＮＴＩである。ＲＮＴＩがＰ−ＲＮＴＩであるとき、第１指示情報は、例えばＤＣＩ内の第６ビット、第７ビット、又は第８ビットで運ばれてよく、又は別の未使用ビットで運ばれてよい。ＲＮＴＩがＣ−ＲＮＴＩであるとき、この場合に情報を運ぶ位置は限定されない。ＲＮＴＩが予め構成されたリソースＲＮＴＩであるとき、ＲＮＴＥは予め構成されたリソースの送信をスケジューリングする又はフィーディングするために使用されるＤＣＩをスクランブリングするために使用されてよい。
【０１３１】
留意すべきことに、前述の説明では、ＲＮＴＩはＰ−ＲＮＴＩ、Ｃ−ＲＮＴＩ、又は予め構成されたリソースＲＮＴＩであるが、本願の本実施形態はそれに限定されない。別の実行可能な実装では、ＲＮＴＩは代替として別のＲＮＴＩであってよい。
【０１３２】
本願の本実施形態では、ＤＣＩは、ＤＣＩを柔軟にスクランブリングするために、Ｐ−ＲＮＴＩ、Ｃ−ＲＮＴＩ、又は予め構成されたリソースＲＮＴＩを用いてスクランブリングされたＤＣＩである。
【０１３３】
以下は、ＲＮＴＩを用いてスクランブリングされたＤＣＩ又はスクランブリングされたＤＣＩに対応するＰＤＳＣＨが第１指示情報を運ぶときに対応するスクランブリングされたＤＣＩを詳細に説明する。
【０１３４】
実行可能な実装では、ＤＣＩは、ページング無線ネットワーク一時識別子Ｐ−ＲＮＴＩによりスクランブリングされたＤＣＩ  ｆｏｒｍａｔ６−２であり、ＤＣＩ  ｆｏｒｍａｔ６−２のフラグは０である。この場合、ＤＣＩは、直接指示のために使用される（used  for  direct  indication）。任意で、第１指示情報は、ＤＣＩ  ｆｏｒｍａｔ６−２における直接指示情報（Direct  Indication  information）の中に位置し、例えば、第６ビット、第７ビット、又は第８ビットにより示され、或いは、別の未使用ビットにより示されてよい。
【０１３５】
本願の本実施形態では、ＤＣＩ内の未使用ビットリソースは、新しくシグナリングを追加することを回避するために、再利用されてよい。
【０１３６】
前述の実施形態では、ターゲット送信モードに加えて、第１指示情報は、以下の情報：電力情報、タイミングアドバンス（timing  advance,  TA）情報、又は反復数情報、のうちの少なくとも１つを更に含む。ネットワーク装置により送信された第１指示情報を受信した後に、端末装置は、以下のアクション：第１指示情報内の電力情報に基づき電力を調整する、ＴＡ情報に基づきアップリンク送信時間を調整する、又は反復数情報に基づき反復数を決定する、のうちの少なくとも１つを更に実行してよい。
【０１３７】
本実施形態では、電力情報、ＴＡ情報、反復数、等は、端末装置の電力、アップリンク送信時間、又は反復数を調整するために、第１指示情報の中で運ばれる。
【０１３８】
前述の実施形態では、ターゲット送信モードは、第１ランダムアクセスモード又はＥＤＴモードであり、第１指示情報に基づきターゲット送信モードで信号を送信する前に、端末装置はネットワーク装置により送信された第１情報を更に受信する。ここで、第１情報は、端末装置がランダムアクセス要求を開始するときに使用されるプリアンブルシーケンス及び／又はランダムアクセス時間−周波数リソースを示すために使用される。
【０１３９】
例えば、アップリンクデータを送信する成功率が低いとき、ターゲット送信モードが第１ランダムアクセスモード又はＥＤＴモードであると決定した後に、ネットワーク装置は、第１情報を端末装置へ更に送信する。第１情報は、プリアンブルシーケンス、ランダムアクセス時間−周波数リソース、等を示すために使用される。相応して、端末装置は、第１情報を受信する。次に、端末装置は、プリアンブル、時間−周波数リソース、等を、第１情報に基づき決定し、ランダムアクセス処理を開始する。
【０１４０】
本実施形態では、ターゲット送信モードが第１ランダムアクセスモード又はＥＤＴモードであるとき、ネットワーク装置は、端末装置へ、プリアンブルシーケンス及びランダムアクセス時間−周波数リソースを示すために使用される第１情報を送信する。その結果、端末装置は、プリアンブルシーケンス及びランダムアクセス時間−周波数リソースを第１情報に基づき決定し、ランダムアクセス処理を開始する。それにより、非接続状態にある端末装置により、許可無しモードでアップリンク信号を送信する成功率を向上する。
【０１４１】
以下は、端末装置が、ターゲット送信モードでネットワーク装置へ信号をどのように送信するかを詳細に説明する。
【０１４２】
実行可能な実装では、ターゲット送信モードは第１ランダムアクセスモードであり、端末装置がネットワーク装置へターゲット送信モードで信号を送信することは、端末装置により、ネットワーク装置により送信された第２指示情報を受信することであって、第１指示情報は、端末装置に、第１ランダムアクセスモードに対応する第１ＰＲＡＣＨリソースを示すために使用されること、及び、第１ＰＲＡＣＨリソースでランダムアクセス処理を開始することであって、第１ＰＲＡＣＨリソースは、端末装置によってのみ使用されること、或いは、端末装置により、第１ＰＲＡＣＨリソースグループから第２ＰＲＡＣＨリソースを選択すること、及び、第２ＰＲＡＣＨリソースでランダムアクセス処理を開始することであって、第１ＰＲＡＣＨリソースグループはセル内で共有されるＰＲＡＣＨリソースであること、を含む。
【０１４３】
例えば、ターゲット送信モードが第１ランダムアクセスモードであるとき、ネットワーク装置は、以下の２つの方法で端末装置のためにランダムアクセスリソースを構成してよい。方法１。ネットワーク装置は、第２指示情報を端末装置へ送信する。ここで、第２指示情報は、第１ＰＲＡＣＨリソースを示すために使用され、第１ＰＲＡＣＨリソースは、端末装置固有のＰＲＡＣＨリソースであり、端末装置によってのみ使用される。相応して、端末装置は、第２指示情報を受信し、第１ＰＲＡＣＨリソースでランダムアクセス処理を開始する。ランダムアクセス処理では、Ｍｓｇ３はアップリンク信号を運ばない。方法２。第１ＰＲＡＣＨリソースグループは、ネットワーク装置を用いて構成され、第１ＰＲＡＣＨリソースグループは、セル内で共有されるＰＲＡＣＨリソースである。端末装置は、第１ＰＲＡＣＨリソースグループから第２ＰＲＡＣＨリソースをランダムに又は別の方法で選択し、第２ＰＲＡＣＨリソースでランダムアクセス処理を開始する。ランダムアクセス処理では、Ｍｓｇ３はアップリンク信号を運ばない。言い換えると、第１ランダムアクセスモードでランダムアクセス要求を送信するために端末装置により使用されるプリアンブルシーケンス及び／又は時間−周波数リソースは、ネットワーク装置により構成されたランダムアクセスリソースから端末装置により選択されてよく、又は、端末装置のためにネットワーク装置により構成された専用プリアンブルシーケンス及び／又は時間−周波数リソースであってよい（言い換えると、端末装置は、もはや、ネットワークにより構成された複数のプリアンブルシーケンスから、端末装置により使用される必要のあるプリアンブルシーケンス及び／又は時間−周波数リソースを選択する必要がない）。ネットワーク装置により構成されたプリアンブルシーケンス及び／又は時間−周波数リソースは、非競合ランダムアクセス処理におけるプリアンブルシーケンス及び／又は時間−周波数リソースとも呼ばれてよい。基本的に、プリアンブルシーケンスは、ネットワーク装置により構成され、端末装置によりランダムに選択されず、ネットワークにより構成されたプリアンブルシーケンスは、同じ時間−周波数リソース上で別のユーザと共有されない。
【０１４４】
本実施形態では、ターゲット送信モードが第１ランダムアクセスモードであるとき、端末装置は、ネットワーク装置により構成された固有第１ＰＲＡＣＨリソース、又は共有第２ＰＲＡＣＨリソース上でランダムアクセス処理を開始し、非接続状態にある端末装置により、許可無しモードでアップリンク信号を送信する成功率を向上する。
【０１４５】
実行可能な実装では、ターゲット送信モードはＥＤＴモードであり、端末装置がネットワーク装置へターゲット送信モードで信号を送信することは、端末装置により、ネットワーク装置により送信された第３指示情報を受信することであって、第３指示情報は、端末装置に、ＥＤＴモードに対応する第３ＰＲＡＣＨリソースを示すために使用されること、及び、第３ＰＲＡＣＨリソースでランダムアクセス処理を開始することであって、第３ＰＲＡＣＨリソースは、端末装置によってのみ使用されること、或いは、端末装置により、第３ＰＲＡＣＨリソースグループから第４ＰＲＡＣＨリソースを選択すること、及び、第４ＰＲＡＣＨリソースでランダムアクセス処理を開始することであって、第２ＰＲＡＣＨリソースグループは共有ＰＲＡＣＨリソースであること、を含む。
【０１４６】
例えば、ターゲット送信モードがＥＤＴモードであるとき、ネットワーク装置は、以下の２つの方法で端末装置のためにランダムアクセスリソースを構成してよい。方法１。ネットワーク装置は、第３指示情報を端末装置へ送信する。ここで、第３指示情報は、第３ＰＲＡＣＨリソースを示すために使用され、第３ＰＲＡＣＨリソースは、端末装置固有のＰＲＡＣＨリソースであり、端末装置によってのみ使用される。相応して、端末装置は、第３指示情報を受信し、第３ＰＲＡＣＨリソースでランダムアクセス処理を開始する。ランダムアクセス処理では、Ｍｓｇ３はアップリンク信号を運ぶ。方法２。第２ＰＲＡＣＨリソースグループは、ネットワーク装置を用いて構成され、第２ＰＲＡＣＨリソースグループは、セル内で共有されるＰＲＡＣＨリソースである。端末装置は、第２ＰＲＡＣＨリソースグループから第４ＰＲＡＣＨリソースをランダムに又は別の方法で選択し、第４ＰＲＡＣＨリソースでランダムアクセス処理を開始する。ランダムアクセス処理では、Ｍｓｇ３はアップリンク信号を運ぶ。言い換えると、ＥＤＴモードでランダムアクセス要求を開始するために端末装置により使用されるプリアンブルシーケンス及び／又は時間−周波数リソースは、ネットワーク装置により構成されたランダムアクセスリソースから端末装置により選択されてよく、又は、ＥＤＴモードのためのプリアンブルシーケンス及び／又は時間−周波数リソースは、端末装置のためにネットワーク装置により構成された専用プリアンブルシーケンス及び／又は時間−周波数リソースであってよい（言い換えると、端末装置は、もはや、ネットワークにより構成された複数のプリアンブルから、端末装置により使用される必要のあるプリアンブルシーケンス及び／又は時間−周波数リソースを選択する必要がない）。ネットワーク装置により構成されたプリアンブルシーケンス及び／又は時間−周波数リソースは、非競合ランダムアクセス処理におけるプリアンブルシーケンス及び／又は時間−周波数リソースとも呼ばれてよい。基本的に、プリアンブルシーケンスは、ネットワーク装置により構成され、端末装置によりランダムに選択されず、ネットワークにより構成されたプリアンブルシーケンスは、同じ時間−周波数リソース上で別のユーザと共有されない。
【０１４７】
本実施形態では、ターゲット送信モードがＥＤＴモードであるとき、端末装置は、ネットワーク装置により構成された固有第３ＰＲＡＣＨリソース、又は共有第４ＰＲＡＣＨリソース上でランダムアクセス処理を開始し、非接続状態にある端末装置により、許可無しモードでアップリンク信号を送信する成功率を向上する。
【０１４８】
前述の原理から分かることは、ターゲット送信モードが第１ランダムアクセスモード又は早期データ送信モードであるとき、ランダムアクセス処理を開始するために端末装置により使用されるプリアンブルシーケンスは、ネットワーク装置により構成されたランダムアクセスリソースから、端末装置により選択されてよく、又は、端末装置のためにネットワーク装置により構成された専用プリアンブルシーケンスであってよい。現在のプリアンブルシーケンスがネットワーク装置により構成されたプリアンブルシーケンスであるとき、プリアンブルシーケンスは、非競合ランダムアクセス処理におけるプリアンブルシーケンスとも呼ばれてよい。基本的に、プリアンブルシーケンスは、端末装置のためにネットワーク装置により構成され、端末装置によりランダムに選択されず、ネットワーク装置により構成されたプリアンブルシーケンスは、同じ時間−周波数リソース上で別のユーザと共有されない。従って、異なるユーザがその間で区別できる。ネットワーク装置は、非競合アクセスのために、プリアンブルシーケンスを端末装置に割り当てる。その結果、端末装置は、ランダムアクセスを素早く完了できる。
【０１４９】
図３は、本願の一実施形態による別の信号送信方法を示す。ターゲット送信モードが明示的に示される図２と比べて、本実施形態では、端末装置は、暗示的方法でターゲット送信モードを決定する。本実施形態は、以下のステップを含む。
【０１５０】
２０１。ネットワーク装置は、肯定応答情報を端末装置へ送信する。
【０１５１】
本願の本実施形態では、ネットワーク装置へ信号を送信した後に、端末装置は、ネットワーク装置により送信された肯定応答情報を受信する。
【０１５２】
例えば、ネットワーク装置は、肯定応答（Acknowledge,  ACK）情報、及び否定応答（Negative  Acknowledgement,  NACK）情報を送信する。この場合、ネットワーク装置は、受信した信号を正しく復号し、ネットワーク装置は、ＡＣＫ情報を端末装置へ送信し、相応して、端末装置はＡＣＫ情報を受信する。ネットワーク装置が信号を正しく受信しない場合、ネットワーク装置は、ＮＡＣＫ情報を端末装置へ送信し、相応して、端末装置はＮＡＣＫ情報を受信する。この場合、端末装置について、信号が送信された後に、信号に対応する肯定応答情報のピースの数は固定され、肯定応答情報はＡＣＫ情報及びＮＡＣＫ情報を含む。
【０１５３】
別の例では、ネットワーク装置は、ＡＣＫ情報のみを送信する。この場合、ネットワーク装置が信号を正しく受信した場合、ネットワーク装置は、ＡＣＫ情報を端末装置へ送信し、相応して、端末装置はＡＣＫ情報を受信する。ネットワーク装置が信号を正しく受信しない場合、ネットワーク装置は、情報を送信しない。この場合、端末装置について、信号が送信された後に、ネットワーク装置が全部の信号を正しく受信した場合、端末装置により受信されるＡＣＫ情報のピースの数は固定される。
【０１５４】
更に別の例では、ネットワーク装置は、NACK情報のみを送信する。この場合、ネットワーク装置が信号を正しく受信した場合、ネットワーク装置は、情報を送信しない。ネットワーク装置が信号を正しく受信しない場合、ネットワーク装置は、ＮＡＣＫ情報を送信し、相応して、端末装置はＮＡＣＫ情報を受信する。この場合、端末装置について、信号が送信された後に、ネットワーク装置が全部の信号を正しく受信しなかった場合、端末装置により受信されるNACK情報のピースの数は固定される。
【０１５５】
２０２。端末装置は、肯定応答情報のピースの数に基づきターゲット送信モードを決定する。ここで、ターゲット送信モードは、以下のモード：第１ランダムアクセスモード、早期データ送信ＥＤＴモード、又は許可無し再送モードのうちのいずれか１つを含む。
【０１５６】
このステップでは、端末装置が肯定応答情報のピースの数に基づきターゲット送信モードを決定する。例えば、ネットワーク装置がＡＣＫ情報のみを送信するとき、端末装置により受信されるＡＣＫ情報のピースの数が所定の閾値より大きい場合、端末装置は、ターゲット送信モードが許可無し再送モードであると決定する。別の例では、ネットワーク装置がＮＡＣＫのみを送信するとき、端末装置により受信されるＮＡＣＫ情報のピースの数が所定の閾値より大きい場合、端末装置は、ターゲット送信モードがＥＤＴモード又は第１ランダムアクセスモードであると決定する。所定の閾値は、例えば１である。言い換えると、端末装置はＮＡＣＫを多くて１回受信し、次に端末装置はターゲット送信モードを決定する。所定の閾値が１であることが理解され得る。具体的に言うと、時間期間の範囲内で、端末装置がＮＡＣＫを１回受信した、又はＡＣＫを受信しない、又はアップリンクスケジューリング情報を受信しない場合、端末装置は、ターゲット送信モードを決定する。
【０１５７】
２０３。端末装置は、ターゲット送信モードでネットワーク装置へ信号を送信する。
【０１５８】
例えば、図２のステップ１０２の説明を参照してよく、詳細はここで再び説明されない。
【０１５９】
本願の本実施形態で提供される信号送信方法によると、アップリンク信号の復号が失敗した、又は失敗の数が所定の閾値に達したことが分かると、端末装置は、肯定応答情報に基づきターゲット送信モードを決定し、ターゲット送信モードでネットワーク装置へ信号を送信する。この処理では、端末装置は、肯定応答情報のピースの数に基づきターゲット送信モードを決定する。その結果、アップリンク信号モードは、適時に調整でき、過剰なスケジューリング又は送信失敗率の増大を回避する。
【０１６０】
前述の実施形態では、ステップ１０１の肯定応答情報は、端末装置により受信された否定応答情報、又は端末装置により受信されない肯定応答情報である。
【０１６１】
例えば、ネットワーク装置がＮＡＣＫ情報のみを送信するシナリオでは、前述の肯定応答情報は端末装置により受信されたＮＡＣＫ情報である。ネットワーク装置がＡＣＫ情報のみを送信するシナリオでは、前述の肯定応答情報は端末装置により受信されたＡＣＫ情報である。ネットワーク装置がＮＡＣＫ情報及びＡＣＫ情報を送信するシナリオでは、前述の肯定応答情報は端末装置により受信されたＮＡＣＫ情報である。
【０１６２】
本実施形態では、肯定応答情報は柔軟に設定され、その結果、端末装置は、異なるシナリオのためにターゲット送信モードを決定できる。
【０１６３】
以下は、端末装置が肯定応答情報のピースの数に基づきターゲット送信モードをどのように決定するかを詳細に説明する。
【０１６４】
実行可能な実装では、端末装置が肯定応答情報のピースの数に基づきターゲット送信モードを決定することは、端末装置により、肯定応答メッセージの数が所定の閾値以下であるかどうかを決定し、数が所定の閾値以下である場合、端末装置により、ターゲット送信モードが許可無し再送モードであると決定することを含む。
【０１６５】
例えば、ネットワーク装置がＮＡＣＫ情報のみを送信するシナリオでは、端末装置が、受信したＮＡＣＫ情報のピースの数が所定の閾値以下であると決定すると、端末装置は、ターゲット送信モードが許可無し再送モードであると決定する。ネットワーク装置がＡＣＫ情報のみを送信するシナリオでは、端末装置が受信されなかったＡＣＫ情報のピースの数が所定の閾値以下であると決定すると、端末装置は、ターゲット送信モードが許可無し再送モードであると決定する。ネットワーク装置がＮＡＣＫ情報及びＡＣＫ情報を送信するシナリオでは、端末装置が、受信したＮＡＣＫ情報のピースの数が所定の閾値以下であると決定すると、端末装置は、ターゲット送信モードが許可無し再送モードであると決定する。端末装置により受信されたＮＡＣＫ情報のピースの数又は端末装置により受信されなかったＡＣＫ情報のピースの数が所定の閾値以下であるとき、それは、端末装置により信号を送信する成功率が比較的高く、端末装置の電力などが調整されてよいことを示すことが分かる。その結果、許可無し再送モードが、信号を送信する成功率を向上するために使用される。
【０１６６】
本実施形態では、端末装置により受信されたＮＡＣＫ情報のピースの数、又は端末装置により受信されなかったＡＣＫ情報のピースの数が、所定の閾値以下であるとき、端末装置は、許可無し再送モードで信号を送信し、非接続状態にある端末装置により許可無しモードでアップリンク信号を送信する成功率を向上する。
【０１６７】
実行可能な実装では、端末装置が肯定応答情報のピースの数に基づきターゲット送信モードを決定することは該数が所定の閾値より大きい場合、端末装置により、ＲＲＣ構成情報内の第４指示情報を読み取ることであって、第４指示情報はターゲット送信モードが第１ランダムアクセスモード又はＥＤＴモードであることを示すために使用されることと、端末装置により、第４指示情報に基づきターゲット送信モードを決定することと、を含む。
【０１６８】
例えば、端末装置により受信されたＮＡＣＫ情報のピースの数又は端末装置により受信されなかったＡＣＫ情報のピースの数が所定の閾値より大きいとき、それは、端末装置により信号を送信する成功率が比較的低く、アップリンク信号を送信する成功率が、端末装置の電力を調整することにより向上できないことを示す。この場合、端末装置は、ネットワーク装置により構成された第４指示情報に基づきターゲット送信モードを決定する。第４指示情報は、端末装置に、ＤＥＴモード又は第１ランダムアクセスモードにフォールバックするよう指示するために使用される。例えば、第４指示情報は１ビット情報であり、１は、ターゲット送信モードがＥＤＴモードであることを示し、０は、ターゲット送信モードが第１ランダムアクセスモードであることを示す。任意で、第４指示情報は、ユーザにより格納されるＲＲＣメッセージの中で運ばれ、端末装置が接続状態であるとき、ＲＲＣ情報は端末装置により決定される。言い換えると、端末装置が接続状態であるとい、端末装置はＲＲＣ情報を決定し保持する。端末装置が接続状態から非接続状態に切り替わると、端末装置はＲＲＣ情報を保持する。
【０１６９】
本実施形態では、端末装置により受信されたＮＡＣＫ情報のピースの数、又は端末装置により受信されなかったＡＣＫ情報のピースの数が、所定の閾値より大きいとき、端末装置は、ＲＲＣ構成情報の中の第４指示情報に基づきターゲット送信モードを決定し、非接続状態にある端末装置により許可無しモードでアップリンク信号を送信する成功率を向上する。
【０１７０】
実行可能な実装では、端末装置が肯定応答情報のピースの数に基づきターゲット送信モードを決定することは該数が所定の閾値より大きい場合、端末装置により、第１情報に基づき、ターゲット送信モードが第１ランダムアクセスモード又はＥＤＴモードであることを決定することを含み、第１指示情報は、端末装置の識別子及び／又は時間−周波数リソースである。
【０１７１】
例えば、端末装置により受信されたＮＡＣＫ情報のピースの数又は端末装置により受信されなかったＡＣＫ情報のピースの数が所定の閾値より大きいとき、それは、端末装置により信号を送信する成功率が比較的低く、アップリンク信号を送信する成功率が、端末装置の電力を調整することにより向上できないことを示す。この場合、端末装置は、識別子、つまりＵＥ−ＩＤ及び／又は時間−周波数リソースに基づきターゲット送信モードを決定する。例えば、ＵＥ−ＩＤが奇数であるとき、端末装置は、ターゲット送信モードがＥＤＴモードであると決定し、又はＵＥ−ＩＤが偶数であるとき、端末装置は、ターゲット送信モードが第１ランダムアクセスモードであると決定する。別の例では、時間−周波数リソースが時間ドメインにおいて奇数個のシンボルを占有するとき、端末装置は、ターゲット送信モードが第１ランダムアクセスモードであると決定する。時間−周波数リソースが時間ドメインにおいて偶数個のシンボルを占有するとき、端末装置は、ターゲット送信モードがＥＤＴモードであると決定する。
【０１７２】
本実施形態では、端末装置により受信されたＮＡＣＫ情報のピースの数、又は端末装置により受信されなかったＡＣＫ情報のピースの数が、所定の閾値より大きいとき、端末装置は、識別子及び／又は時間−周波数リソースに基づきターゲット送信モードを決定し、非接続状態にある端末装置により許可無しモードでアップリンク信号を送信する成功率を向上する。
【０１７３】
前述の実施形態では、ターゲット送信モードは第１ランダムアクセスモード又はＥＤＴモードであり、ネットワーク装置へターゲット送信モードで信号を送信する前に、端末装置は、更に、ネットワーク装置により送信された第１情報を受信する。ここで、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。
【０１７４】
例えば、アップリンクデータを祖巣インする成功率が低いとき、ターゲット送信モードが第１ランダムアクセスモード又はＥＤＴモードでると決定した後に、ネットワーク装置は、端末装置へ、第１情報を更に送信する。ここで、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。相応して、端末装置は、第１情報を受信する。次に、第１ランダムアクセスモード又はＥＤＴモードに対応するランダムアクセス処理が、第１情報に基づき開始される。
【０１７５】
本実施形態では、ターゲット送信モードが第１ランダムアクセスモード又はＥＤＴモードであるとき、ネットワーク装置は、端末装置へ第１情報を送信する。ここで、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。その結果、端末装置は、第１情報に基づきランダムアクセス処理を開始し、それにより、非接続状態にある端末装置により、許可無しモードでアップリンク信号を送信する成功率を向上する。
【０１７６】
留意すべきことに、図２及びその任意的な実施形態では、第１指示情報は、端末装置にターゲット送信モードで信号を送信するよう指示するために使用され、ターゲット送信モードは、第１ランダムアクセスモード、ＥＤＴモード、又は許可無し送信モードのうちのいずれか１つである。しかしながら、本願の本実施形態はそれらに限定されない。別の実行可能な実装では、ネットワーク装置は、第５指示情報を端末装置へ送信する。ここで、第５指示情報は、端末装置に、ターゲット送信モードで信号を送信するよう指示し、ターゲット送信モードは、以下のモード：第１方法又は許可無し再送モードのうちのいずれか１つを含み、第１方法は、第１ランダムアクセスモード及び早期データ送信ＥＤＴモードのいずれかである。第１ランダムアクセスモードは、競合ランダムアクセスモード又は非競合ランダムアクセスモードを含む。競合ランダムアクセスモードにおけるメッセージＭｓｇ３は、アップリンクデータを運ばず、ＥＤＴ送信モードにおけるＭｓｇ３はアップリンクデータを運ぶ。第５指示情報を受信した後に、端末装置は、第５指示情報に基づきターゲット送信モードを決定し、ターゲット送信モードでネットワーク装置へ信号を送信する。
【０１７７】
実行可能な実装では、第５指示情報が第１モードを示すとき、ターゲット送信モードを第５指示情報に基づき決定すると、端末装置は、第１ランダムアクセスモード及びＥＤＴモードから、ターゲット送信モードとして送信モードをランダムに選択する。第５指示情報が許可無し再送モードを示すとき、端末装置は、ターゲット送信モードが許可無し再送モードであると決定し、許可無し再送モードでネットワーク装置へアップリンクデータを送信する。
【０１７８】
図４は、本願の一実施形態による通信機器の概略構造図である。本実施形態における通信機器は、端末装置であってよく、又は端末装置内で使用されるチップであってよい。通信機器は、図２に示される方法の実施形態における端末装置の機能を実行するよう構成されてよい。図４に示されるように、通信機器１０は受信モジュール１１と送信モジュール１２とを含んでよい。受信モジュール１１は、ネットワーク装置により送信された第１指示情報を受信するよう構成され、第１指示情報は、端末装置にターゲット送信モードで信号を送信するよう指示するために使用され、ターゲット送信モードは、以下のモード：第１ランダムアクセスモード、早期データ送信ＥＤＴモード、又は許可無し再送モード、のうちのいずれか１つを含み、第１ランダムアクセスモードは、競合ランダムアクセスモード又は非競合ランダムアクセスモードを含み、第１ランダムアクセスモードにおけるメッセージＭｓｇ３はアップリンクデータを運ばず、ＥＤＴ送信モードにおけるＭｓｇ３はアップリンクデータを運ぶ。
【０１７９】
送信モジュール１２は、受信モジュール１１により受信された第１指示情報により示されたターゲット送信モードで、ネットワーク装置へ信号を送信するよう構成される。
【０１８０】
実行可能な設計では、受信モジュール１１は、ネットワーク装置により送信されたページングメッセージを受信するよう構成され、ページングメッセージは第１指示情報を運ぶ。
【０１８１】
実行可能な設計では、受信モジュール１１は、無線ネットワーク一時識別子ＲＮＴＩを用いてスクランブリングされネットワーク装置により送信されたダウンリンク制御情報ＤＣＩを受信するよう構成され、ＤＣＩは第１指示情報を運ぶ。或いは、受信モジュール１１は、ＲＮＴＩを用いてスクランブリングされネットワーク装置により送信されたＤＣＩを受信し、ＤＣＩに基づき物理ダウンリンク共有チャネルＰＤＳＣＨを受信するよう構成され、ＰＤＳＣＨは第１指示情報を運ぶ。
【０１８２】
実行可能な設計では、ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む。
【０１８３】
実行可能な設計では、ＤＣＩは、ページング無線ネットワーク一時識別子Ｐ−ＲＮＴＩによりスクランブリングされたＤＣＩ  ｆｏｒｍａｔ６−２であり、ＤＣＩ  ｆｏｒｍａｔ６−２のフラグは０である。
【０１８４】
可能な設計では、端末装置は、処理モジュール１３を更に含む。
【０１８５】
受信モジュール１１は、無線ネットワーク一時識別子ＲＮＴＩを用いてスクランブリングされネットワーク装置により送信されたダウンリンク制御情報ＤＣＩを受信するよう構成され、ＤＣＩは第１フィールドを含む。
【０１８６】
処理モジュール１３は、第１フィールドに基づき第１指示情報を決定するよう更に構成される。
【０１８７】
実行可能な設計では、端末装置は、カバレッジ拡張モードＢ  ＣＥ  ｍｏｄｅＢにある端末装置、カバレッジ拡張レベル２  ＣＥ  ｌｅｖｅ２にある端末装置、又はカバレッジ拡張レベル３  ＣＥ  ｌｅｖｅ３にある端末装置であり、ＤＣＩはＤＣＩ  ｆｏｒｍａｔ６−０Ｂであり、第１フィールドはＤＣＩ内の変調及び符号化方式ＭＣＳフィールドであり、ＭＣＳフィールド内の全部のビット値が１であり、第１指示情報により示されるターゲット送信モードは許可無し再送モードであり、或いは、ＭＣＳフィールドの必ずしも全部のビット値が１ではなく、ターゲット送信モードは第１ランダムアクセスモード又はＥＤＴモードのいずれかである。留意すべきことに、送信モードは、許可再送モードを更に含み、ＭＣＳフィールドの必ずしも全部のビット値は１ではなく、ターゲット送信モードは、第１ランダムアクセスモード、ＥＤＴモード、又は許可再送モードのうちのいずれか１つである。
【０１８８】
代替として、端末装置は、カバレッジ拡張モードＡ  ＣＥ  ｍｏｄｅＡにある端末装置、カバレッジ拡張レベル０  ＣＥ  ｌｅｖｅｌ０にある端末装置、又はカバレッジ拡張レベル１  ＣＥ  ｌｅｖｅｌ１にある端末装置であり、ＤＣＩはＤＣＩ  ｆｒｏｍａｔ６−０Aであり、第１フィールドは、ＤＣＩ内のリソースブロック割り当てＲＡフィールドであり、ＲＡフィールドの全部のビット値は１であり、第１指示情報により示されるターゲット送信モードは許可無し再送モードである、或いは、ＲＡフィールドの必ずしも全部のビット値が１ではなく、ターゲット送信モードは第１ランダムアクセスモード及びＥＤＴ再送モードのうちのいずれかである。留意すべきことに、前記送信モードは、許可再送モードを更に含み、前記RAフィールドの必ずしも全部のビット値は１ではなく、前記ターゲット送信モードは、前記第１ランダムアクセスモード、前記ＥＤＴモード、又は前記許可再送モードのうちのいずれか１つである。
【０１８９】
代替として、端末装置は、カバレッジ拡張モードＡ  ＣＥ  ｍｏｄｅＡにある端末装置、カバレッジ拡張レベル０  ＣＥ  ｌｅｖｅｌ０にある端末装置、又はカバレッジ拡張レベル１  ＣＥ  ｌｅｖｅｌ１にある端末装置であり、ＤＣＩはＤＣＩ  ｆｏｒｍａｔ６−１Ａであり、第１フィールドは、ＤＣＩ内のリソースブロック割り当てＲＡフィールドであり、ＲＡフィールドの全部のビット値は１であり、第１指示情報により示されるターゲット送信モードは許可無し再送モードである、或いは、ＲＡフィールドの必ずしも全部のビット値が１ではなく、ターゲット送信モードは第１ランダムアクセスモード及びＥＤＴ再送モードのうちのいずれかである。留意すべきことに、前記送信モードは、許可再送モードを更に含み、前記RAフィールドの必ずしも全部のビット値は１ではなく、前記ターゲット送信モードは、前記第１ランダムアクセスモード、前記ＥＤＴモード、又は前記許可再送モードのうちのいずれか１つである。
【０１９０】
代替として、端末装置は、カバレッジ拡張モードＡ（coverage  enhancement  mode  B,  CE  mode  B）にある端末装置、カバレッジ拡張レベル２  ＣＥ  ｌｅｖｅｌ２にある端末装置、又はカバレッジ拡張レベル  ＣＥ  ｌｅｖｅｌ３にある端末装置であり、ＤＣＩはＤＣＩ  ｆｒｏｍａｔ６−１Ｂであり、第１フィールドは、ＤＣＩ内のリソースブロック割り当てＲＡフィールドであり、ＲＡフィールドの全部のビット値は１であり、第１指示情報により示されるターゲット送信モードは許可無し再送モードである、或いは、ＲＡフィールドの必ずしも全部のビット値が１ではなく、ターゲット送信モードは第１ランダムアクセスモード及びＥＤＴ再送モードのうちのいずれかである。留意すべきことに、送信モードは、許可再送モードを更に含み、ＲＡフィールドの必ずしも全部のビット値は１ではなく、ターゲット送信モードは、第１ランダムアクセスモード、ＥＤＴモード、又は許可再送モードのうちのいずれか１つである。
【０１９１】
代替として、第１フィールドは、ＤＣＩ内の新規データ指示子ＮＤＩフィールドであり、ＮＤＩフィールドのビット値は０であり、ターゲット送信モードは第１ランダムアクセスモード又はＥＤＴモードであり、或いは、ＮＤＩフィールドのビット値は１であり、ターゲット送信モードは許可無し再送モードである。
【０１９２】
実行可能な設計では、ターゲット送信モードが許可無し再送モードであるとき、送信モジュール１２は、予め構成されたリソースのうちの全部又は一部を使用して、ネットワーク装置へ信号を送信するよう構成され、予め構成されたリソースは、端末装置のためにネットワーク装置により予め構成されたリソースである。
【０１９３】
実行可能な設計では、第１指示情報は、以下の情報：電力情報、タイミングアドバンスＴＡ情報、又は反復数情報、のうちの少なくとも１つを更に含み、端末装置は、処理モジュール１３を更に含み、受信モジュール１１がネットワーク装置により送信された第１指示情報を受信した後に、処理モジュール１３は、第１指示情報の中の電力情報に基づき電力を調整し、ＴＡ情報に基づきアップリンク送信時間を調整し、又は反復数情報に基づき反復数を決定するよう構成される。
【０１９４】
実行可能な設計では、ターゲット送信モードは、第１ランダムアクセスモード又はＥＤＴモードであり、送信モジュール１２が第１指示情報に基づきターゲット送信モードで信号を送信する前に、受信モジュール１１は、
ネットワーク装置により送信された第１情報を受信するよう更に構成され、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。
【０１９５】
可能な設計では、ターゲット送信モードは第１ランダムアクセスモードであり、受信モジュール１１は、ネットワーク装置により送信された第２指示情報を受信するよう更に構成され、第２指示情報は、端末装置に、第１ランダムアクセスモードに対応する第１ＰＲＡＣＨリソースを示すために使用され、送信モジュール１２は、第１ＰＲＡＣＨリソース上でランダムアクセス処理を開始し、第１ＰＲＡＣＨリソースは端末装置によってのみ使用される。代替として、処理モジュール１３は、第１ＰＲＡＣＨリソースグループから、第２ＰＲＡＣＨリソースを選択し、送信モジュール１２は、処理モジュール１３により選択された第２ＰＲＡＣＨリソース上でランダムアクセス処理を開始し、第１ＰＲＡＣＨリソースグループは共有ＰＲＡＣＨリソースであり、第１ＰＲＡＣＨリソースグループは少なくとも１つの第２ＰＲＡＣＨリソースを含む。
【０１９６】
実行可能な設計では、ターゲット送信モードはＥＤＴモードであり、受信モジュール１１は、ネットワーク装置により送信された第３指示情報を受信するよう更に構成され、第３指示情報は、端末装置に、ＥＤＴモードに対応する第３ＰＲＡＣＨリソースを示すために使用され、送信モジュールは、第３ＰＲＡＣＨリソース上でランダムアクセス処理を開始するよう構成され、第３ＰＲＡＣＨリソースは端末装置によってのみ使用される。代替として、処理モジュール１３は、第２ＰＲＡＣＨリソースグループから、第４ＰＲＡＣＨリソースを選択するよう構成され、開始モジュール１２は、第４ＰＲＡＣＨリソース上でランダムアクセス処理を開始し、第２ＰＲＡＣＨリソースグループは共有ＰＲＡＣＨリソースである。
【０１９７】
本願の本実施形態で提供される通信機器は、図２及び任意的な実施形態における端末装置のアクションを実行してよい。通信機器の実装原理及び技術的効果は、端末装置のものと同様である。詳細はここで再び記載されない。
【０１９８】
図５は、本願の一実施形態による通信機器の概略構造図である。本実施形態における通信機器は、ネットワーク装置であってよく、又はネットワーク装置内で使用されるチップであってよい。通信機器は、図２に示される方法の実施形態におけるネットワーク装置の機能を実行するよう構成されてよい。図５に示されるように、通信機器２０は処理モジュール２１、送信モジュール２２、及び受信モジュール２３を含んでよい。処理モジュール２１は、ターゲット送信モードを決定するよう構成され、ターゲット送信モードは、以下のモード：第１ランダムアクセスモード、早期データ送信ＥＤＴモード、又は許可無し再送モード、のうちのいずれか１つを含み、第１ランダムアクセスモードは競合ランダムアクセスモード又は非競合ランダムアクセスモードを含み、競合ランダムアクセスモードにおけるメッセージＭｓｇ３はアップリンクデータを運ばず、ＥＤＴモードにおけるＭｓｇ３はアップリンクデータを運ぶ。
【０１９９】
送信モジュール２２は、第１指示情報を端末装置へ送信するよう構成され、第１指示情報は、端末装置に、ターゲット送信モードで信号を送信するよう指示するために使用される。
【０２００】
受信モジュール２３は、ターゲット送信モードで端末装置により送信された信号を受信するよう構成される。
【０２０１】
実行可能な設計では、送信モジュール２２は、端末装置へページングメッセージを送信するよう構成され、ページングメッセージは第１指示情報を運ぶ。
【０２０２】
実行可能な設計では、送信モジュール２２は、
端末装置へ、無線ネットワーク一時識別子ＲＮＴＩを用いてスクランブリングされたダウンリンク制御情報ＤＣＩを送信し、ＤＣＩは第１指示情報を運ぶ、又は、
端末装置へ、無線ネットワーク一時識別子ＲＮＴＩを用いてスクランブリングされたダウンリンク制御情報ＤＣＩを送信し、ＤＣＩに基づき物理ダウンリンク共有チャネルＰＤＳＣＨを送信し、ＰＤＳＣＨは第１指示情報を運ぶ、よう構成される。
【０２０３】
実行可能な設計では、ＲＮＴＩは、以下のＲＮＴＩ：ページング無線ネットワーク一時識別子Ｐ−ＲＮＴＩ、セル無線ネットワーク一時識別子Ｃ−ＲＮＴＩ、又は予め構成されたリソースＲＮＴＩ、のうちのいずれか１つを含む。
【０２０４】
実行可能な設計では、ＤＣＩは、ページング無線ネットワーク一時識別子Ｐ−ＲＮＴＩによりスクランブリングされたＤＣＩ  ｆｏｒｍａｔ６−２であり、ＤＣＩ  ｆｏｒｍａｔ６−２のフラグは０である。
【０２０５】
可能な設計では、送信モジュール２２は、端末装置へ、無線ネットワーク一時識別子ＲＮＴＩを用いてスクランブリングされたダウンリンク制御情報ＤＣＩを送信するよう構成され、ＤＣＩは第１フィールドを含み、第１フィールドは第１指示情報を決定するために使用される。
【０２０６】
実行可能な設計では、送信モジュール２２は、端末装置へ、無線ネットワーク一時識別子ＲＮＴＩを用いてスクランブリングされたダウンリンク制御情報ＤＣＩを送信するよう構成され、ＤＣＩは第１フィールド及び第２フィールドを含み、第１フィールド及び第２フィールドは第１指示情報を決定するために使用される。
【０２０７】
実行可能な設計では、第１指示情報は、以下の情報：電力情報、タイミングアドバンスＴＡ情報、又は反復数情報、のうちの少なくとも１つを更に含む。
【０２０８】
実行可能な設計では、ターゲット送信モードは、第１ランダムアクセスモード又はＥＤＴモードであり、送信モジュール２２が第１指示情報を端末装置へ送信した後に、受信モジュール２３は、端末装置へ第１情報を送信するよう更に構成され、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。
【０２０９】
可能な設計では、ターゲット送信モードは第１ランダムアクセスモードであり、第１指示情報を端末装置へ送信した後に、送信モジュール２２は、端末装置へ第２指示情報を送信するよう更に構成され、第２指示情報は、端末装置に、第１ランダムアクセスモードに対応する第１ＰＲＡＣＨリソースを示すために使用され、第１ＰＲＡＣＨリソースは端末装置によってのみ使用される。代替として、処理モジュール２１は、端末装置のために第１ＰＲＡＣＨリソースグループを構成するよう更に構成され、第１ＰＲＡＣＨリソースグループは共有ＰＲＡＣＨリソースであり、第１ＰＲＡＣＨリソースグループは少なくとも１つの第２ＰＲＡＣＨリソースを含む。
【０２１０】
実行可能な設計では、ターゲット送信モードはＥＤＴモードであり、第１指示情報を端末装置へ送信した後に、送信モジュール２２は、第３指示情報を端末装置へ送信するよう更に構成され、第３指示情報は、端末装置に、ＥＤＴモードに対応する第３ＰＲＡＣＨリソースを示すために使用され、第３ＰＲＡＣＨリソースは、端末装置によってのみ使用される。代替として、処理モジュール２１は、端末装置のために第２ＰＲＡＣＨリソースグループを構成するよう更に構成され、第２ＰＲＡＣＨリソースグループは共有ＰＲＡＣＨリソースであり、第２ＰＲＡＣＨリソースグループは少なくとも１つの第４ＰＲＡＣＨリソースを含む。
【０２１１】
可能な設計では、ターゲット送信モードが許可無し再送モードであるとき、受信モジュール２３は、予め構成されたリソースのうちの全部又は一部を使用して、許可無し再送モードで、ネットワーク装置へ端末装置により送信された信号を受信するよう構成され、予め構成されたリソースは、端末装置のためにネットワーク装置により予め構成されたリソースである。
【０２１２】
本願の本実施形態で提供される通信機器は、図２及び任意的な実施形態におけるネットワーク装置のアクションを実行してよい。通信機器の実装原理及び技術的効果は、ネットワーク装置のものと同様である。詳細はここで再び記載されない。
【０２１３】
図６は、本願の一実施形態による通信機器の概略構造図である。本実施形態における通信機器は、端末装置であってよく、又は端末装置内で使用されるチップであってよい。通信機器は、図３に示される方法の実施形態における端末装置の機能を実行するよう構成されてよい。図６に示されるように、通信機器３０は、処理モジュール３１とトランシーバモジュール３２とを含んでよい。処理モジュール３１は、肯定応答情報のピースの数に基づきターゲット送信モードを決定するよう構成され、ターゲット送信モードは以下のモード：第１ランダムアクセスモード、早期データ送信ＥＤＴモード、又は許可無し再送モードのうちのいずれか１つを含み、第１ランダムアクセスモードは競合ランダムアクセスモード又は非競合ランダムアクセスモードを含み、第１ランダムアクセスモードにおけるメッセージＭｓｇ３はアップリンクデータを運ばず、ＥＤＴモードにおけるメッセージＭｓｇ３はアップリンクデータを運ぶ。
【０２１４】
トランシーバモジュール３２は、ターゲット送信モードで端末装置へ信号を送信するよう構成される。
【０２１５】
可能な設計では、処理モジュール３１は、肯定応答メッセージの数が所定の閾値以下であるかどうかを決定し、該数が所定の閾値以下である場合、ターゲット送信モードが許可無し再送モードであると決定するよう構成される。
【０２１６】
可能な設計では、該数が所定の閾値より大きい場合、処理モジュール３１は、無線リソース制御ＲＲＣ構成情報から第４指示情報を読み出し、第４指示情報は、ターゲット送信モードが第１ランダムアクセスモード又はＥＤＴモードであることを示すために使用され、第４指示情報に基づきターゲット送信モードを決定するよう構成される。
【０２１７】
可能な設計では、処理モジュール３１は、該数が所定の閾値より大きい場合、第１情報に基づき、ターゲット送信モードが第１ランダムアクセスモード又はＥＤＴモードであると決定するよう構成され、第１情報は、端末装置の識別子及び／又は時間−周波数リソースである。
【０２１８】
実行可能な設計では、ターゲット送信モードは、第１ランダムアクセスモードであり、第１指示情報に基づきターゲット送信モードで信号を送信する前に、トランシーバモジュール３２は、ネットワーク装置により送信された第１情報を受信するよう更に構成され、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。
【０２１９】
実行可能な設計では、肯定応答情報は、端末装置により受信された否定応答情報、又は端末装置により受信されない肯定応答情報である。
【０２２０】
本願の本実施形態で提供される通信機器は、図３及び任意的な実施形態における端末装置のアクションを実行してよい。通信機器の実装原理及び技術的効果は、端末装置のものと同様である。詳細はここで再び記載されない。
【０２２１】
図７は、本願の一実施形態による通信機器の概略構造図である。本実施形態における通信機器は、ネットワーク装置であってよく、又はネットワーク装置内で使用されるチップであってよい。通信機器は、図３に示される方法の実施形態におけるネットワーク装置の機能を実行するよう構成されてよい。図７に示されるように、通信機器４０は、送信モジュール４１と受信モジュール４２とを含んでよい。送信モジュール４１は、端末装置へ、肯定応答情報を送信するよう構成される。その結果、端末装置は、肯定応答情報のピースの数に基づき、ターゲット送信モードを決定する。ここで、ターゲット送信モードは、以下のモード：第１ランダムアクセスモード、早期データ送信ＥＤＴモード、又は許可無し再送モード、のうちのいずれか１つを含み、第１ランダムアクセスモードは、競合ランダムアクセスモード又は非競合ランダムアクセスモードを含み、競合ランダムアクセスモードにおけるメッセージＭｓｇ３はアップリンクデータを運ばず、ＥＤＴ送信モードにおけるＭｓｇ３はアップリンクデータを運ぶ。
【０２２２】
受信モジュール４２は、ターゲット送信モードで端末装置により送信された信号を受信するよう構成される。
【０２２３】
実行可能な設計では、ターゲット送信モードは、第１ランダムアクセスモード又はＥＤＴモードであり、肯定応答情報を端末装置へ送信した後に、受信モジュール４１は、
端末装置へ第１情報を送信するよう更に構成され、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。
【０２２４】
本願の本実施形態で提供される通信機器は、図３及び任意的な実施形態におけるネットワーク装置のアクションを実行してよい。通信機器の実装原理及び技術的効果は、ネットワーク装置のものと同様である。詳細はここで再び記載されない。
【０２２５】
留意すべきことに、送信モジュールは実施に実装されるとき送信機であってよく、受信モジュールは実際に実装されるとき受信機であってよく、トランシーバモジュールは実際に実装されるときトランシーバであってよいことが理解されるべきである。処理モジュールは、処理要素により呼び出されるソフトウェアの形式で実装されてよく、又はハードウェアの形式で実装されてよい。例えば、処理モジュールは、別個に配置された処理要素であってよく、又は実装のために前述の機器のチップに統合されてよい。更に、処理モジュールは、代替として、プログラムコードの形式で前述の機器のメモリに格納されてよく、処理モジュールの機能を実行するために前述の機器の処理要素により呼び出される。更に、モジュールのうちの全部又は一部は、一緒に統合されてよく、又は個別に実装されてよい。ここで説明された処理要素は、信号処理能力を有する首席回路であってよい。実装プロセスでは、方法のステップ又はモジュールは、処理要素内のハードウェア集積論理回路を用いて又はソフトウェアの形式の命令を用いて実装されることができる。
【０２２６】
例では、前述のモジュールは、１つ以上の特定用途向け集積回路（application  specific  integrated  circuit,  ASIC）、１つ以上のマイクロプロセッサ（digital  signal  processor,  DSP）、１つ以上のフィールドプログラマブルゲートアレイ（field  programmable  gate  array,  FPGA）のような、前述の方法を実装する１つ以上の集積回路として構成されてよい。別の例では、前述のモジュールのうちの１つが、処理要素によるスケジューリングプログラムコードの形式で実装されるとき、処理要素は、汎用プロセッサ、例えば、中央処理ユニット（central  processing  unit,  CPU）又はプログラムコードを呼び出し可能な別のプロセッサであってよい。更に別の例では、モジュールは、一緒に統合され、システムオンチップ（system−on−a−chip,  SOC）の形式で実装されてよい。
【０２２７】
図８は、本願の一実施形態による端末装置の概略構造図である。図８に示されるように、端末装置５０は、プロセッサ５１（例えば、ＣＰＵ）、メモリ５２及びトランシーバ５３を含んでよい。トランシーバ５３は、プロセッサ５１に接続され、プロセッサ５１は、トランシーバ５３の送信及び受信アクションを制御する。メモリ５２は、高速ランダムアクセスメモリ（random  −access  memory,  RAM）を含んでよく、不揮発性メモリ（non−volatile  memory,  NVM）、例えば少なくとも１つの磁気ディスクメモリを更に含んでよい。メモリ５２は、種々の処理機能を達成し本願における方法のステップを実施するために、種々の命令を格納してよい。任意で、本願における端末装置は、電源５４及び通信バス５５を更に含んでよい。トランシーバ５３は、端末装置の送信機受信機セットに統合されてよく、又は端末装置の独立したトランシーバアンテナであってよい。通信バス５５は、コンポーネント間の通信接続を実施するよう構成される。通信バスは、アドレスバス、データバス、制御バス、等に分類されてよい。提示を容易にするために、１本の太線だけが、図中でバスを表すために使用されるが、これは、１本のバスのみ又は１種類のバスのみが存在することを意味しない。
【０２２８】
本願の本実施形態では、メモリ５２は、コンピュータ実行可能プログラムコードを格納するよう構成され、プログラムコードは命令を含む。プロセッサ５１が命令を実行すると、該命令は、端末装置のプロセッサ５１を、前述の方法の実施形態における端末装置の処理アクションを実行可能にし、トランシーバ５３を、図４に示される実施形態又は任意の実施形態における端末装置の受信及び送信アクションを実行可能にする。実装原理及びその技術的効果は同様であり、詳細はここで再び説明されない。
【０２２９】
図９は、本願の一実施形態によるネットワーク装置の概略構造図である。図９に示されるように、ネットワーク装置６０は、プロセッサ６１（例えば、ＣＰＵ）、メモリ６２及びトランシーバ６３を含んでよい。トランシーバ６３は、プロセッサ６１に接続され、プロセッサ６１は、トランシーバ６３の送信及び受信アクションを制御する。メモリ６２は、高速ランダムアクセスメモリ（random  −access  memory,  RAM）を含んでよく、不揮発性メモリ（non−volatile  memory,  NVM）、例えば少なくとも１つの磁気ディスクメモリを更に含んでよい。メモリ６２は、種々の処理機能を達成し本願における方法のステップを実施するために、種々の命令を格納してよい。任意で、本願におけるネットワーク装置は、通信バス６４を更に含んでよい。トランシーバ６３は、ネットワーク装置の送信機受信機セットに統合されてよく、又はネットワーク装置の独立したトランシーバアンテナであってよい。通信バス６４は、コンポーネント間の通信接続を実施するよう構成される。通信バスは、アドレスバス、データバス、制御バス、等に分類されてよい。提示を容易にするために、１本の太線だけが、図中でバスを表すために使用されるが、これは、１本のバスのみ又は１種類のバスのみが存在することを意味しない。
【０２３０】
本願の本実施形態では、メモリ６２は、コンピュータ実行可能プログラムコードを格納するよう構成され、プログラムコードは命令を含む。プロセッサ６１が命令を実行すると、該命令は、ネットワーク装置のプロセッサ６１を、前述の方法の実施形態におけるネットワーク装置の処理アクションを実行可能にし、トランシーバ６３を、前述の方法の実施形態におけるネットワーク装置の受信アクションを実行可能にする。実装原理及びその技術的効果は同様であり、詳細はここで再び説明されない。
【０２３１】
前述の実施形態の全部又は一部は、ソフトウェア、ハードウェア、ファームウェア、又はそれらの任意の組み合わせにより実装されてよい。実施形態を実装するためにソフトウェアが使用されるとき、実施形態の全部又は一部は、コンピュータプログラムプロダクトの形式で実装されてよい。コンピュータプログラムプロダクトは、１つ以上のコンピュータ命令を含む。コンピュータプログラム命令は、コンピュータ上にロードされ実行されると、本願の実施形態による手順又は機能が完全に又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（ＤＳＬ））又は無線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、ＤＶＤ）、半導体媒体（例えば、固体ドライブ（solid  state  disk,  SSD））等であってよい。
【０２３２】
本願における用語「複数の」は、２又は２より多くを表す。本願における用語「及び／又は」は、単に関連付けられたオブジェクトを説明するための関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。更に、本願明細書における文字「／」は、通常、関連付けられたオブジェクトの間の「又は」の関係を示す。式の中で、文字「／」は、関連するオブジェクトの間の「分割」関係を表す。
【０２３３】
本願の実施形態に含まれる数値記号は、単に説明を容易にするために区別されるが、本願の実施形態の範囲を限定するために使用されないことが理解され得る。
【０２３４】
理解されるべきことに、前述の処理のシーケンス番号は、本願の実施形態における実行順序を意味しない。処理の実行順序は、処理の機能及び内部ロジックに従い決定されるべきであり、本発明の実施形態の実装処理に対する限定として考えられるべきではない。
【図１】
2022501938.tif 000003
【図２】
2022501938.tif 000004
【図３】
2022501938.tif 000005
【図４】
2022501938.tif 000006
【図５】
2022501938.tif 000007
【図６】
2022501938.tif 000008
【図７】
2022501938.tif 000009
【図８】
2022501938.tif 000010
【図９】
2022501938.tif 000011
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
信号送信方法であって、
端末装置により、ネットワーク装置から情報を受信するステップであって、前記情報は、前記端末装置にフォールバック送信モードで信号を送信するよう指示するために使用される、ステップと、
前記端末装置により、前記信号の送信が失敗したと決定するステップと、
前記端末装置により、前記フォールバック送信モードで前記ネットワーク装置へ前記信号を送信するステップと、
を含む方法。
【請求項２】
前記情報はＮＡＣＫを示す、請求項１に記載の方法。
【請求項３】
前記フォールバック送信モードは、第１ランダムアクセスモード、早期データ送信モード、又は許可無しモードを含む、請求項１又は２に記載の方法。
【請求項４】
端末装置により、情報を受信する前記ステップは、
前記端末装置により、無線ネットワーク一時識別子（ＲＮＴＩ）を用いてスクランブリングされた前記ネットワーク装置からのダウンリンク制御情報（ＤＣＩ）を受信するステップであって、前記ＤＣＩは前記情報を運ぶ、ステップ、又は、
前記端末装置により、ＲＮＴＩを用いてスクランブリングされた前記ネットワーク装置からのＤＣＩを受信し、及び前記ＤＣＩに基づき物理ダウンリンク共有チャネル（ＰＤＳＣＨ）を受信するステップであって、前記ＰＤＳＣＨは前記情報を運ぶ、ステップ、
を含む、請求項１、２、又は３に記載の方法。
【請求項５】
前記ＤＣＩは、ページング無線ネットワーク一時識別子（Ｐ−ＲＮＴＩ）を用いてスクランブリングされたＤＣＩ  ｆｏｒｍａｔ６−２であり、前記ＤＣＩ  ｆｏｒｍａｔ６−２のフラグは０である、請求項４に記載の方法。
【請求項６】
前記ＲＮＴＩは、以下のＲＮＴＩ：ページング無線ネットワーク一時識別子（Ｐ−ＲＮＴＩ）、セル無線ネットワーク一時識別子（Ｃ−ＲＮＴＩ）、又は予め構成されたリソースＲＮＴＩ、のうちの１つを含む、請求項４又は５に記載の方法。
【請求項７】
前記方法は、
前記端末装置により、前記ネットワーク装置から受信した電力情報に基づき電力を調整し、前記ネットワーク装置から受信したＴＡ情報に基づきアップリンク送信時間を調整し、又は前記ネットワーク装置から受信した反復数情報に基づき反復数を決定するステップ、
を更に含む請求項１〜６のいずれか一項に記載の方法。
【請求項８】
前記情報は１ビットを占有し、前記１ビットの値が１であるとき、前記情報は、前記端末装置に前記フォールバック送信モードで信号を送信するよう指示する、請求項１〜７のいずれか一項に記載の方法。
【請求項９】
前記フォールバック送信モードは、第１ランダムアクセスモード又はＥＤＴモードであり、前記端末装置が前記信号を送信する前に、前記方法は、
前記端末装置により、前記ネットワーク装置から第１情報を受信するステップであって、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、ステップ、
を更に含む請求項１〜８のいずれか一項に記載の方法。
【請求項１０】
信号送信方法であって、
ネットワーク装置により、信号の送信が失敗したと決定した後に、フォールバック送信モードを決定するステップと、
前記ネットワーク装置により、端末装置へ情報を送信するステップであって、前記情報は、前記端末装置に前記フォールバック送信モードで前記信号を送信するよう指示するために使用される、ステップと、
前記ネットワーク装置により、前記端末装置から前記フォールバック送信モードで前記信号を受信するステップと、
を含む方法。
【請求項１１】
前記情報はＮＡＣＫを示す、請求項１０に記載の方法。
【請求項１２】
前記ネットワーク装置により、端末装置へ情報を送信する前記ステップは、
前記ネットワーク装置により、前記端末装置へ、無線ネットワーク一時識別子（ＲＮＴＩ）を用いてスクランブリングされたダウンリンク制御情報（ＤＣＩ）を送信するステップであって、前記ＤＣＩは前記情報を運ぶ、ステップ、又は、
前記ネットワーク装置により、前記端末装置へ、ＲＮＴＩを用いてスクランブリングされたＤＣＩを送信し、前記ＤＣＩに基づき物理ダウンリンク共有チャネル（ＰＤＳＣＨ）を送信するステップであって、前記ＰＤＳＣＨは前記情報を運ぶ、ステップ、
を含む、請求項１０又は１１に記載の方法。
【請求項１３】
前記ＤＣＩは、ページング無線ネットワーク一時識別子（Ｐ−ＲＮＴＩ）を用いてスクランブリングされたＤＣＩであり、前記ＤＣＩ  ｆｏｒｍａｔ６−２のフラグは０である、請求項１２に記載の方法。
【請求項１４】
前記ネットワーク装置により、端末装置へ、情報を送信する前記ステップは、
前記ネットワーク装置により、前記端末装置へ、ＲＮＴＩを用いてスクランブリングされたＤＣＩを送信するステップであって、前記ＤＣＩは第１フィールドを含み、前記第１フィールドは前記情報を決定するために使用される、ステップを含む、請求項１０又は１１に記載の方法。
【請求項１５】
前記ネットワーク装置により、端末装置へ、情報を送信する前記ステップは、
前記ネットワーク装置により、前記端末装置へ、ＲＮＴＩを用いてスクランブリングされたＤＣＩを送信するステップであって、前記ＤＣＩは第１フィールド及び第２フィールドを含み、前記第１フィールド及び前記第２フィールドは前記情報を決定するために使用される、ステップを含む、請求項１０又は１１に記載の方法。
【請求項１６】
前記ＲＮＴＩは、以下のＲＮＴＩ：ページング無線ネットワーク一時識別子（Ｐ−ＲＮＴＩ）、セル無線ネットワーク一時識別子（Ｃ−ＲＮＴＩ）、又は予め構成されたリソースＲＮＴＩ、のうちの１つを含む、請求項１２〜１５のいずれか一項に記載の方法。
【請求項１７】
前記情報は１ビットを占有し、前記１ビットの値が１であるとき、前記情報は、前記端末装置に前記フォールバック送信モードで信号を送信するよう指示する、請求項１０〜１６のいずれか一項に記載の方法。
【請求項１８】
前記方法は、
前記ネットワーク装置により、以下の情報：電力情報、タイミングアドバンス（ＴＡ）情報、又は反復数情報、のうちの少なくとも１つを送信するステップ、
を更に含む請求項１０〜１７のいずれか一項に記載の方法。
【請求項１９】
前記フォールバック送信モードは、第１ランダムアクセスモード又はＥＤＴモードであり、前記ネットワーク装置により、端末装置へ、情報を送信するステップの後に、前記方法は、
前記ネットワーク装置により、前記端末装置へ、第１情報を送信するステップであって、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、ステップ、
を更に含む請求項１０〜１８のいずれか一項に記載の方法。
【請求項２０】
通信機器であって、
ネットワーク装置から情報を受信するよう構成される受信モジュールであって、前記情報は、端末装置にフォールバック送信モードで信号を送信するよう指示するために使用される、受信モジュールと、
前記信号の送信が失敗したと決定するよう構成される処理モジュールと、
前記受信モジュールにより受信された前記情報により示された前記フォールバック送信モードで、前記ネットワーク装置へ前記信号を送信するよう構成される送信モジュールと、
を含む機器。
【請求項２１】
前記情報はＮＡＣＫを示す、請求項２０に記載の機器。
【請求項２２】
前記フォールバック送信モードは、第１ランダムアクセスモード、早期データ送信モード、又は許可無しモードを含む、請求項２０又は２１に記載の機器。
【請求項２３】
前記受信モジュールは、  無線ネットワーク一時識別子（ＲＮＴＩ）を用いてスクランブリングされた前記ネットワーク装置からのダウンリンク制御情報（ＤＣＩ）を受信し、前記ＤＣＩは前記情報を運ぶ、又は、
ＲＮＴＩを用いてスクランブリングされた前記ネットワーク装置からのＤＣＩを受信し、及び前記ＤＣＩに基づき物理ダウンリンク共有チャネル（ＰＤＳＣＨ）を受信し、前記ＰＤＳＣＨは前記情報を運ぶ、
よう構成される、請求項２０、２１、又は２２に記載の機器。
【請求項２４】
前記ＤＣＩは、ページング無線ネットワーク一時識別子（Ｐ−ＲＮＴＩ）を用いてスクランブリングされたＤＣＩ  ｆｏｒｍａｔ６−２であり、前記ＤＣＩ  ｆｏｒｍａｔ６−２のフラグは０である、請求項２３に記載の機器。
【請求項２５】
前記受信モジュールは、無線ネットワーク一時識別子（ＲＮＴＩ）を用いてスクランブリングされた前記ネットワーク装置からのダウンリンク制御情報（ＤＣＩ）を受信するよう構成され、前記ＤＣＩは第１フィールドを含み、
前記処理モジュールは、前記第１フィールドに基づき、前記情報を決定するよう構成される、請求項２０、２１、又は２２に記載の機器。
【請求項２６】
前記受信モジュールは、無線ネットワーク一時識別子（ＲＮＴＩ）を用いてスクランブリングされた前記ネットワーク装置からのダウンリンク制御情報（ＤＣＩ）を受信するよう構成され、前記ＤＣＩは第１フィールド及び第２フィールドを含み、
前記処理モジュールは、前記第１フィールド及び前記第２フィールドに基づき、前記情報を決定するよう構成される、請求項２０、２１、又は２２に記載の機器。
【請求項２７】
前記ＲＮＴＩは、以下のＲＮＴＩ：ページング無線ネットワーク一時識別子（Ｐ−ＲＮＴＩ）、セル無線ネットワーク一時識別子（Ｃ−ＲＮＴＩ）、又は予め構成されたリソースＲＮＴＩ、のうちの１つを含む、請求項２３〜２６のいずれか一項に記載の機器。
【請求項２８】
前記情報は１ビットを占有し、前記１ビットの値が１であるとき、前記情報は、前記端末装置に前記フォールバック送信モードで信号を送信するよう指示する、請求項２３〜２７のいずれか一項に記載の機器。
【請求項２９】
前記処理モジュールは、前記情報の中の電力情報に基づき電力を調整し、ＴＡ情報に基づきアップリンク送信時間を調整し、又は反復数情報に基づき反復数を決定するよう構成される、請求項２３〜２８のいずれか一項に記載の機器。
【請求項３０】
前記フォールバック送信モードは、第１ランダムアクセスモード又はＥＤＴモードであり、前記信号が送信される前に、前記受信モジュールは、前記ネットワーク装置から第１情報を受信するよう更に構成され、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、請求項２３〜２９のいずれか一項に記載の機器。
【請求項３１】
通信機器であって、
信号の送信が失敗したと決定した後に、フォールバック送信モードを決定するよう構成される処理モジュールと、
端末装置へ情報を送信するよう構成される送信モジュールであって、前記情報は、前記端末装置に前記フォールバック送信モードで信号を送信するよう指示するために使用される、送信モジュールと、
前記端末装置から前記フォールバック送信モードで前記信号を受信するよう構成される受信モジュールと、
を含む機器。
【請求項３２】
前記情報はＮＡＣＫを示す、請求項３１に記載の機器。
【請求項３３】
前記送信モジュールは、
前記端末装置へ、無線ネットワーク一時識別子（ＲＮＴＩ）を用いてスクランブリングされたダウンリンク制御情報（ＤＣＩ）を送信し、前記ＤＣＩは前記情報を運ぶ、又は、
前記端末装置へ、ＲＮＴＩを用いてスクランブリングされたＤＣＩを送信し、前記ＤＣＩに基づき物理ダウンリンク共有チャネル（ＰＤＳＣＨ）を送信し、前記ＰＤＳＣＨは前記情報を運ぶ、
よう構成される、請求項３１又は３２に記載の機器。
【請求項３４】
前記ＤＣＩは、ページング無線ネットワーク一時識別子（Ｐ−ＲＮＴＩ）を用いてスクランブリングされたＤＣＩ  ｆｏｒｍａｔ６−２であり、前記ＤＣＩ  ｆｏｒｍａｔ６−２のフラグは０である、請求項３３に記載の機器。
【請求項３５】
前記送信モジュールは、前記端末装置へ、ＲＮＴＩを用いてスクランブリングされたＤＣＩを送信するよう構成され、前記ＤＣＩは第１フィールドを含み、前記第１フィールドは前記情報を決定するために使用される、請求項３１又は３２に記載の機器。
【請求項３６】
前記送信モジュールは、前記端末装置へ、ＲＮＴＩを用いてスクランブリングされたＤＣＩを送信するよう構成され、前記ＤＣＩは第１フィールド及び第２フィールドを含み、前記第１フィールド及び前記第２フィールドは前記情報を決定するために使用される、請求項３１又は３２に記載の機器。
【請求項３７】
前記ＲＮＴＩは、以下のＲＮＴＩ：ページング無線ネットワーク一時識別子（Ｐ−ＲＮＴＩ）、セル無線ネットワーク一時識別子（Ｃ−ＲＮＴＩ）、又は予め構成されたリソースＲＮＴＩ、のうちの１つを含む、請求項３３〜３６のいずれか一項に記載の機器。
【請求項３８】
前記情報は、以下の情報：電力情報、タイミングアドバンスＴＡ情報、又は反復数情報、のうちの少なくとも１つを更に含む、請求項３３〜３７のいずれか一項に記載の機器。
【請求項３９】
前記情報は１ビットを占有し、前記１ビットの値が１であるとき、前記情報は、前記端末装置に前記フォールバック送信モードで信号を送信するよう指示する、請求項３３〜３８のいずれか一項に記載の機器。
【請求項４０】
前記フォールバック送信モードは、第１ランダムアクセスモード又はＥＤＴモードであり、前記端末装置へ、前記情報を送信した後に、前記送信モジュールは、
前記端末装置へ、第１情報を送信するよう更に構成され、前記第１情報はプリアンブルを示すために使用され、前記プリアンブルは、以下の情報：前記プリアンブルを送信するために使用される時間−周波数リソース、プリアンブルシーケンス、前記プリアンブルシーケンスの番号、ランダムアクセスシーケンス、又は前記ランダムアクセスシーケンスの番号、のうちの少なくとも１つを含む、請求項３３〜３９のいずれか一項に記載の機器。
【請求項４１】
記憶媒体であって、前記記憶媒体はコンピュータプログラムを含み、前記コンピュータプログラムは、請求項１〜９のいずれか一項に記載の方法で前記端末装置の動作を実施するために使用され、又は、前記コンピュータプログラムは、請求項１０〜１９のいずれか一項に記載の方法で前記ネットワーク装置の動作を実施するために使用される、記憶媒体。
【手続補正２】
【補正対象書類名】明細書
【補正対象項目名】００２２
【補正方法】変更
【補正の内容】
【００２２】
実行可能な設計では、前記ターゲット送信モードが前記ランダムアクセスモードであり、前記端末装置が、前記ネットワーク装置へ、前記ターゲット送信モードで信号を送信することは、以下を含む。前記端末装置は、前記ネットワーク装置により送信された第２指示情報を受信し、前記第２指示情報は、前記端末装置に、前記第１ランダムアクセスモードに対応する第１ＰＲＡＣＨリソースを示すために使用され、前記第１ＰＲＡＣＨリソース上でランダムアクセス処理を開始し、前記第１ＰＲＡＣＨリソースは前記端末装置によってのみ使用される。代替として、前記端末装置は、第１ＰＲＡＣＨリソースグループから、第２ＰＲＡＣＨリソースを選択し、前記第２ＰＲＡＣＨリソース上でランダムアクセス処理を開始し、前記第１ＰＲＡＣＨリソースグループは共有ＰＲＡＣＨリソースであり、前記第１ＰＲＡＣＨリソースグループは少なくとも１つの第２ＰＲＡＣＨリソースを含む。言い換えると、前記第１ランダムアクセスモードでランダムアクセス要求を送信するために前記端末装置により使用される前記プリアンブルシーケンス及び／又は前記時間−周波数リソースは、前記ネットワーク装置により構成されたランダムアクセスリソースから前記端末装置により選択されてよく、又は、前記端末装置のために前記ネットワーク装置により構成された専用プリアンブルシーケンス及び／又は時間−周波数リソースであってよい（言い換えると、前記端末装置は、もはや、ネットワーク装置により構成された複数のプリアンブルシーケンスから、前記端末装置により使用される必要のあるプリアンブルシーケンス及び／又は時間−周波数リソースを選択する必要がない）。前記ネットワーク装置により構成された前記プリアンブルシーケンス及び／又は前記時間−周波数リソースは、非競合ランダムアクセス処理におけるプリアンブルシーケンス及び／又は時間−周波数リソースとも呼ばれてよい。基本的に、前記プリアンブルシーケンスは、前記ネットワーク装置により構成され、前記端末装置によりランダムに選択されず、前記ネットワーク装置により構成されたプリアンブルシーケンスは、同じ時間−周波数リソース上で別のユーザと共有されない。ソリューションによると、前記ターゲット送信モードが前記第１ランダムアクセスモードであるとき、前記端末装置は、前記ネットワーク装置により構成された前記固有第１ＰＲＡＣＨリソース，又は前記共有第２ＰＲＡＣＨリソース上で前記ランダムアクセス処理を開始し、前記非接続状態にある前記端末装置により、前記許可無しモードで前記アップリンク信号を送信する前記成功率を向上する。
【手続補正３】
【補正対象書類名】明細書
【補正対象項目名】００２３
【補正方法】変更
【補正の内容】
【００２３】
実行可能な設計では、前記ターゲット送信モードが前記ＥＤＴモードであり、前記端末装置が、前記ネットワーク装置へ、前記ターゲット送信モードで信号を送信することは、以下を含む。前記端末装置は、前記ネットワーク装置により送信された第３指示情報を受信し、前記第３指示情報は、前記端末装置に、前記ＥＤＴモードに対応する第３ＰＲＡＣＨリソースを示すために使用され、前記第３ＰＲＡＣＨリソース上でランダムアクセス処理を開始し、前記第３ＰＲＡＣＨリソースは前記端末装置によってのみ使用される。代替として、前記端末装置は、第２ＰＲＡＣＨリソースグループから、第４ＰＲＡＣＨリソースを選択し、前記第４ＰＲＡＣＨリソース上でランダムアクセス処理を開始し、前記第２ＰＲＡＣＨリソースグループは共有ＰＲＡＣＨリソースである。言い換えると、前記ＥＤＴモードで前記ランダムアクセス要求を開始するために前記端末装置により使用される前記プリアンブルシーケンス及び／又は前記時間−周波数リソースは、前記ネットワーク装置により構成されたランダムアクセスリソースから前記端末装置により選択されてよく、又は、前記ＥＤＴモードのための前記プリアンブルシーケンス及び／又は前記時間−周波数リソースは、前記端末装置のために前記ネットワーク装置により構成された専用プリアンブルシーケンス及び／又は時間−周波数リソースであってよい（言い換えると、前記端末装置は、もはや、ネットワーク装置により構成された複数のプリアンブルシーケンスから、前記端末装置により使用される必要のあるプリアンブルシーケンス及び／又は時間−周波数リソースを選択する必要がない）。前記ネットワーク装置により構成された前記プリアンブルシーケンス及び／又は前記時間−周波数リソースは、非競合ランダムアクセス処理におけるプリアンブルシーケンス及び／又は時間−周波数リソースとも呼ばれてよい。基本的に、前記プリアンブルシーケンスは、前記ネットワーク装置により構成され、前記端末装置によりランダムに選択されず、前記ネットワーク装置により構成されたプリアンブルシーケンスは、同じ時間−周波数リソース上で別のユーザと共有されない。ソリューションによると、前記ターゲット送信モードが前記ＥＤＴモードであるとき、前記端末装置は、前記ネットワーク装置により構成された前記固有第３ＰＲＡＣＨリソース、又は前記共有第４ＰＲＡＣＨリソース上で前記ランダムアクセス処理を開始し、前記非接続状態にある前記端末装置により、前記許可無しモードで前記アップリンク信号を送信する前記成功率を向上する。
【手続補正４】
【補正対象書類名】明細書
【補正対象項目名】００８９
【補正方法】変更
【補正の内容】
【００８９】
本願の本実施形態では、端末装置の比較的低い電力のような理由から、ネットワーク装置が受信したアップリンク信号を復号するのに失敗すると、ネットワーク装置は、端末装置に、許可無し再送を実行するよう指示する。任意で、ネットワーク装置は、電力情報、反復数、等を端末装置に更に示してよい。その結果、端末装置は、電力、再送数、等を調整する。
【手続補正５】
【補正対象書類名】明細書
【補正対象項目名】００９３
【補正方法】変更
【補正の内容】
【００９３】
このステップでは、第１指示情報を受信した後に、端末装置は、第１指示情報により示されたターゲット送信モードで、ネットワーク装置へ信号を送信する。例えば、ターゲット送信モードが第１ランダムアクセスモードであるとき、端末装置は、第１ランダムアクセスモードに対応する物理ランダムアクセスチャネル（physical  random  access  channel,  PRACH）上でランダムアクセス処理を開始する。この処理では、Ｍｓｇ３はアップリンク信号を運ばない、又は処理は非競合メカニズムに基づくランダムアクセス処理である。別の例では、ターゲット送信モードがＥＤＴモードであるとき、端末装置は、ＥＤＴモードに対応するＰＲＡＣＨリソース上でランダムアクセス処理を開始する。この処理では、Ｍｓｇ３はアップリンク信号を運ぶ。ＰＲＡＣＨリソースは、プリアンブルシーケンス、時間−周波数リソース、等を含む。更に別の例では、ターゲット送信モードが許可無し再送モードであるとき、端末装置は、許可無しモードで、ネットワーク装置へ信号を再送信し続ける。
【手続補正６】
【補正対象書類名】明細書
【補正対象項目名】０１３０
【補正方法】変更
【補正の内容】
【０１３０】
本願の本実施形態では、ＲＮＴＩは、例えば、ページング無線ネットワーク一時識別子（paging  radio  network  temporary  identity,  P−RNTI）、セル無線ネットワーク一時識別子（cell  radio  network  temporary  identity,  C−RNTI）、又は予め構成されたリソースＲＮＴＩである。ＲＮＴＩがＰ−ＲＮＴＩであるとき、第１指示情報は、例えばＤＣＩ内の第６ビット、第７ビット、又は第８ビットで運ばれてよく、又は別の未使用ビットで運ばれてよい。ＲＮＴＩがＣ−ＲＮＴＩであるとき、この場合に情報を運ぶ位置は限定されない。ＲＮＴＩが予め構成されたリソースＲＮＴＩであるとき、ＲＮＴＩは予め構成されたリソースの送信をスケジューリングする又はフィーディングするために使用されるＤＣＩをスクランブリングするために使用されてよい。
【手続補正７】
【補正対象書類名】明細書
【補正対象項目名】０１４３
【補正方法】変更
【補正の内容】
【０１４３】
例えば、ターゲット送信モードが第１ランダムアクセスモードであるとき、ネットワーク装置は、以下の２つの方法で端末装置のためにランダムアクセスリソースを構成してよい。方法１。ネットワーク装置は、第２指示情報を端末装置へ送信する。ここで、第２指示情報は、第１ＰＲＡＣＨリソースを示すために使用され、第１ＰＲＡＣＨリソースは、端末装置固有のＰＲＡＣＨリソースであり、端末装置によってのみ使用される。相応して、端末装置は、第２指示情報を受信し、第１ＰＲＡＣＨリソースでランダムアクセス処理を開始する。ランダムアクセス処理では、Ｍｓｇ３はアップリンク信号を運ばない。方法２。第１ＰＲＡＣＨリソースグループは、ネットワーク装置を用いて構成され、第１ＰＲＡＣＨリソースグループは、セル内で共有されるＰＲＡＣＨリソースである。端末装置は、第１ＰＲＡＣＨリソースグループから第２ＰＲＡＣＨリソースをランダムに又は別の方法で選択し、第２ＰＲＡＣＨリソースでランダムアクセス処理を開始する。ランダムアクセス処理では、Ｍｓｇ３はアップリンク信号を運ばない。言い換えると、第１ランダムアクセスモードでランダムアクセス要求を送信するために端末装置により使用されるプリアンブルシーケンス及び／又は時間−周波数リソースは、ネットワーク装置により構成されたランダムアクセスリソースから端末装置により選択されてよく、又は、端末装置のためにネットワーク装置により構成された専用プリアンブルシーケンス及び／又は時間−周波数リソースであってよい（言い換えると、端末装置は、もはや、ネットワーク装置により構成された複数のプリアンブルシーケンスから、端末装置により使用される必要のあるプリアンブルシーケンス及び／又は時間−周波数リソースを選択する必要がない）。ネットワーク装置により構成されたプリアンブルシーケンス及び／又は時間−周波数リソースは、非競合ランダムアクセス処理におけるプリアンブルシーケンス及び／又は時間−周波数リソースとも呼ばれてよい。基本的に、プリアンブルシーケンスは、ネットワーク装置により構成され、端末装置によりランダムに選択されず、ネットワーク装置により構成されたプリアンブルシーケンスは、同じ時間−周波数リソース上で別のユーザと共有されない。
【手続補正８】
【補正対象書類名】明細書
【補正対象項目名】０１４６
【補正方法】変更
【補正の内容】
【０１４６】
例えば、ターゲット送信モードがＥＤＴモードであるとき、ネットワーク装置は、以下の２つの方法で端末装置のためにランダムアクセスリソースを構成してよい。方法１。ネットワーク装置は、第３指示情報を端末装置へ送信する。ここで、第３指示情報は、第３ＰＲＡＣＨリソースを示すために使用され、第３ＰＲＡＣＨリソースは、端末装置固有のＰＲＡＣＨリソースであり、端末装置によってのみ使用される。相応して、端末装置は、第３指示情報を受信し、第３ＰＲＡＣＨリソースでランダムアクセス処理を開始する。ランダムアクセス処理では、Ｍｓｇ３はアップリンク信号を運ぶ。方法２。第２ＰＲＡＣＨリソースグループは、ネットワーク装置を用いて構成され、第２ＰＲＡＣＨリソースグループは、セル内で共有されるＰＲＡＣＨリソースである。端末装置は、第２ＰＲＡＣＨリソースグループから第４ＰＲＡＣＨリソースをランダムに又は別の方法で選択し、第４ＰＲＡＣＨリソースでランダムアクセス処理を開始する。ランダムアクセス処理では、Ｍｓｇ３はアップリンク信号を運ぶ。言い換えると、ＥＤＴモードでランダムアクセス要求を開始するために端末装置により使用されるプリアンブルシーケンス及び／又は時間−周波数リソースは、ネットワーク装置により構成されたランダムアクセスリソースから端末装置により選択されてよく、又は、ＥＤＴモードのためのプリアンブルシーケンス及び／又は時間−周波数リソースは、端末装置のためにネットワーク装置により構成された専用プリアンブルシーケンス及び／又は時間−周波数リソースであってよい（言い換えると、端末装置は、もはや、ネットワーク装置により構成された複数のプリアンブルシーケンスから、端末装置により使用される必要のあるプリアンブルシーケンス及び／又は時間−周波数リソースを選択する必要がない）。ネットワーク装置により構成されたプリアンブルシーケンス及び／又は時間−周波数リソースは、非競合ランダムアクセス処理におけるプリアンブルシーケンス及び／又は時間−周波数リソースとも呼ばれてよい。基本的に、プリアンブルシーケンスは、ネットワーク装置により構成され、端末装置によりランダムに選択されず、ネットワーク装置により構成されたプリアンブルシーケンスは、同じ時間−周波数リソース上で別のユーザと共有されない。
【手続補正９】
【補正対象書類名】明細書
【補正対象項目名】０１６８
【補正方法】変更
【補正の内容】
【０１６８】
例えば、端末装置により受信されたＮＡＣＫ情報のピースの数又は端末装置により受信されなかったＡＣＫ情報のピースの数が所定の閾値より大きいとき、それは、端末装置により信号を送信する成功率が比較的低く、アップリンク信号を送信する成功率が、端末装置の電力を調整することにより向上できないことを示す。この場合、端末装置は、ネットワーク装置により構成された第４指示情報に基づきターゲット送信モードを決定する。第４指示情報は、端末装置に、ＥＤＴモード又は第１ランダムアクセスモードにフォールバックするよう指示するために使用される。例えば、第４指示情報は１ビット情報であり、１は、ターゲット送信モードがＥＤＴモードであることを示し、０は、ターゲット送信モードが第１ランダムアクセスモードであることを示す。任意で、第４指示情報は、ユーザにより格納されるＲＲＣメッセージの中で運ばれ、端末装置が接続状態であるとき、ＲＲＣ情報は端末装置により決定される。言い換えると、端末装置が接続状態であるとい、端末装置はＲＲＣ情報を決定し保持する。端末装置が接続状態から非接続状態に切り替わると、端末装置はＲＲＣ情報を保持する。
【手続補正１０】
【補正対象書類名】明細書
【補正対象項目名】０１９６
【補正方法】変更
【補正の内容】
【０１９６】
実行可能な設計では、ターゲット送信モードはＥＤＴモードであり、受信モジュール１１は、ネットワーク装置により送信された第３指示情報を受信するよう更に構成され、第３指示情報は、端末装置に、ＥＤＴモードに対応する第３ＰＲＡＣＨリソースを示すために使用され、送信モジュールは、第３ＰＲＡＣＨリソース上でランダムアクセス処理を開始するよう構成され、第３ＰＲＡＣＨリソースは端末装置によってのみ使用される。代替として、処理モジュール１３は、第２ＰＲＡＣＨリソースグループから、第４ＰＲＡＣＨリソースを選択するよう構成され、送信モジュール１２は、第４ＰＲＡＣＨリソース上でランダムアクセス処理を開始し、第２ＰＲＡＣＨリソースグループは共有ＰＲＡＣＨリソースである。
【手続補正１１】
【補正対象書類名】明細書
【補正対象項目名】０２０８
【補正方法】変更
【補正の内容】
【０２０８】
実行可能な設計では、ターゲット送信モードは、第１ランダムアクセスモード又はＥＤＴモードであり、送信モジュール２２が第１指示情報を端末装置へ送信した後に、送信モジュール２３は、端末装置へ第１情報を送信するよう更に構成され、第１情報はプリアンブルを示すために使用され、プリアンブルは、以下の情報：プリアンブルを送信するために使用される時間−周波数リソース、プリアンブルシーケンス、プリアンブルシーケンスの番号、ランダムアクセスシーケンス、又はランダムアクセスシーケンスの番号、のうちの少なくとも１つを含む。
【手続補正１２】
【補正対象書類名】明細書
【補正対象項目名】０２３０
【補正方法】変更
【補正の内容】
【０２３０】
本願の本実施形態では、メモリ６２は、コンピュータ実行可能プログラムコードを格納するよう構成され、プログラムコードは命令を含む。プロセッサ６１が命令を実行すると、該命令は、ネットワーク装置のプロセッサ６１を、前述の方法の実施形態におけるネットワーク装置の処理アクションを実行可能にし、トランシーバ６３を、前述の方法の実施形態におけるネットワーク装置の受信及び送信アクションを実行可能にする。実装原理及びその技術的効果は同様であり、詳細はここで再び説明されない。
【国際調査報告】
2022501938.tif 000012
2022501938.tif 000013
2022501938.tif 000014
2022501938.tif 000015